(57)【要約】  本発明の表示装置は、高電位側及び低電位側の少なくとも一方の電位を出力する電源供給部（５８２）と、複数の発光画素が配置され、電源供給部（５８２）から電源供給を受ける有機ＥＬ表示部（５１０）と、２つ以上の発光画素それぞれに印加される高電位側の電位または低電位側の電位を伝達するための複数の検出線と、複数の検出線に伝達される高電位側の印加電位、または、低電位側の印加電位を、複数の検出線の数よりも少ない数の出力線に出力する中継部（６９０）と、中継部（６９０）から出力された高電位側の電位と基準電位との電位差、低電位側の電位と基準電位との電位差、または、高電位側の電位と低電位側の電位との電位差のいずれかが所定の電位差となるように、電源供給部（５８２）から出力される高電位側及び低電位側の出力電位の少なくとも一方を調整する調整部（５８１）とを備える。
2012176241.tif 000002
【特許請求の範囲】
【請求項１】
高電位側及び低電位側の少なくとも一方の電位を出力する電源供給部と、
複数の発光画素が配置され、前記電源供給部から電源供給を受ける表示部と、
前記表示部内における少なくとも２つ以上の発光画素のそれぞれに一端が接続され、前記２つ以上の発光画素それぞれに印加される高電位側の電位または低電位側の電位を伝達するための複数の検出線と、
前記複数の検出線の他端に接続され、前記複数の検出線の数よりも少ない数の出力線の一端に接続され、前記複数の検出線に伝達される２つ以上の前記高電位側の電位のうち少なくとも１つの印加電位を、または、伝達される２つ以上の前記低電位側の電位のうち少なくとも１つの印加電位を、前記出力線に出力する中継部と、
前記中継部と出力線を介して接続され、前記中継部から出力された前記高電位側の電位と基準電位との電位差、前記低電位側の電位と基準電位との電位差、または、前記高電位側の電位と前記低電位側の電位との電位差のうち、いずれかが所定の電位差となるように、前記電源供給部から出力される前記高電位側及び低電位側の出力電位の少なくとも一方を調整する調整部とを備え、
前記表示部と、前記中継部とは、同一の基板上に設けられている
表示装置。
【請求項２】
前記表示装置は、さらに、前記出力線の他端に接続され、前記調整部と接続される検出回路を備え、
前記検出回路は、前記中継部により出力された前記複数の検出線に伝達される前記２つ以上の発光画素に印加される印加電位のうち、高電位側の電位で最小の電位、及び、低電位側の電位で最大の電位の少なくとも一方の電位を検出して選択し、当該選択した電位を前記調整部に出力する
請求項１に記載の表示装置。
【請求項３】
前記中継部は、前記出力線と接続される検出回路を内部に備え、
前記検出回路は、前記複数の検出線に伝達される前記２つ以上の発光画素に印加される印加電位のうち、高電位側の電位で最小の電位、及び、低電位側の電位で最大の電位の少なくとも一方の電位を検出して選択し、当該選択した電位を前記出力線に出力する
請求項１に記載の表示装置。
【請求項４】
前記中継部は、前記検出線に伝達される前記２つ以上の発光画素に印加される印加電位を、時分割して前記出力線に順次出力し、
前記調整部は、前記中継部から出力された前記２つ以上の発光画素に印加される印加電位のうち、前記高電位側の電位で最小の電位と基準電位との電位差、及び、前記低電位側の電位で最大の電位と基準電位との電位差の少なくとも一方が所定の電位差となるように、前記電源供給部から出力される前記高電位側及び低電位側の出力電位の少なくとも一方を調整する
請求項１に記載の表示装置。
【請求項５】
前記中継部は、アナログデータとして入力される前記２つ以上の発光画素に印加される印加電位を、デジタルデータに変換して出力する
請求項１に記載の表示装置。
【請求項６】
前記複数の発光画素は、それぞれ、駆動素子と発光素子とを備え、
前記駆動素子は、ソース電極及びドレイン電極を備え、
前記発光素子は、第１の電極及び第２の電極を備え、当該第１の電極が前記駆動素子のソース電極及びドレイン電極の一方に接続され、前記ソース電極及びドレイン電極の他方と前記第２の電極との一方に高電位側の電位が印加され、前記ソース電極及びドレイン電極の他方と前記第２の電極との他方に低電位側の電位が印加される
請求項１に記載の表示装置。
【請求項７】
前記第２の電極は、前記複数の発光画素に共通して設けられた共通電極の一部を構成しており、
該共通電極は、その周縁部から電位が印加されるように、前記電源供給部と電気的に接続され、
前記予め定められた少なくとも一つの発光画素は、前記表示部の中央付近に配置されている
請求項６に記載の表示装置。
【請求項８】
前記第２の電極は、金属酸化物からなる透明導電性材料で形成されている
請求項７に記載の表示装置。
【請求項９】
前記発光素子が、有機ＥＬ素子である
請求項６に記載の表示装置。
【請求項１０】
高電位側及び低電位側の少なくとも一方の電位を出力する電源供給部と、複数の発光画素が配置され、前記電源供給部から電源供給を受ける表示部と前記表示部内における少なくとも２つ以上の発光画素のそれぞれに一端が接続され、前記２つ以上の発光画素それぞれに印加される高電位側の電位または低電位側の電位を伝達するための複数の検出線とを備える表示装置の駆動方法であって、
前記複数の検出線に伝達される前記高電位側の電位のうち少なくとも１つの印加電位を、または、前記低電位側の電位のうち少なくとも１つの印加電位を、前記複数の検出線の数よりも少ない数の出力線に出力する中継ステップと、
前記中継ステップにおいて出力された前記高電位側の電位と基準電位との電位差、前記低電位側の電位と基準電位との電位差、または、前記高電位側の電位と前記低電位側の電位との電位差のうち、いずれかが所定の電位差となるように、前記電源供給部から出力される前記高電位側及び低電位側の出力電位の少なくとも一方を調整する調整ステップとを含む
表示装置の駆動方法。
【発明の詳細な説明】
【技術分野】
【０００１】
本発明は、有機ＥＬに代表される電流駆動型発光素子を用いたアクティブマトリクス型表示装置、及びその駆動方法に関し、さらに詳しくは、消費電力低減効果の高い表示装置及びその駆動方法に関する。
【背景技術】
【０００２】
一般に、有機ＥＬ素子の輝度は、素子に供給される駆動電流に依存し、駆動電流に比例して素子の発光輝度が大きくなる。従って、有機ＥＬ素子からなるディスプレイの消費電力は、表示輝度の平均で決まる。即ち、液晶ディスプレイと異なり、有機ＥＬディスプレイの消費電力は、表示画像によって大きく変動する。【０００３】
例えば、有機ＥＬディスプレイにおいては、全白画像を表示した場合に最も大きな消費電力を必要とするが、一般的な自然画の場合は、全白時に対して２０〜４０％程度の消費電力で十分とされる。【０００４】
しかしながら、電源回路設計やバッテリ容量は、ディスプレイの消費電力が最も大きくなる場合を想定して設計されることから、一般的な自然画に対して３〜４倍の消費電力を考慮しなければならず、機器の低消費電力化及び小型化の妨げとなっている。【０００５】
そこで従来では、映像データのピーク値を検出し、その検出データに基づいて有機ＥＬ素子のカソード電圧を調整して、電源電圧を減少させることにより表示輝度をほとんど低下させずに消費電力を抑制するという技術が提案されている（例えば、特許文献１参照）。
【先行技術文献】
【特許文献】
【０００６】
【特許文献１】特開２００６−０６５１４８号公報
【発明の概要】
【発明が解決しようとする課題】
【０００７】
さて、有機ＥＬ素子は電流駆動素子であることから、電源配線には電流が流れ、配線抵抗に比例した電圧降下が発生する。そのため、ディスプレイに供給される電源電圧は、電圧降下に伴う電圧上昇分のマージンを上乗せして設定されている。【０００８】
電圧上昇分のマージンについても、上述の電源回路設計やバッテリ容量と同様に、ディスプレイの消費電力が一番大きくなる場合を想定して設定されることから、一般的な自然画に対して無駄な電力が消費されていることになる。【０００９】
モバイル機器用途を想定した小型ディスプレイでは、パネル電流が小さいので、電圧上昇分のマージンは発光画素で消費される電圧に比べて無視できるほど小さい。しかし、パネルの大型化に伴って電流が増加すると、電源配線で生じる電圧降下が無視できなくなる。【００１０】
しかしながら、上記特許文献１における従来技術においては、各発光画素における消費電力を低減することはできるが、電圧降下に伴う電圧上昇分のマージンを低減することはできない。つまり、家庭向けの３０型以上の大型表示装置における消費電力低減効果としては不十分である。【００１１】
本発明は上述の問題に鑑みてなされ、消費電力低減効果の高い表示装置及びその駆動方法を提供することを目的とする。
【課題を解決するための手段】
【００１２】
上記目的を達成するために、本発明の一態様に係る表示装置は、電位側及び低電位側の少なくとも一方の電位を出力する電源供給部と、複数の発光画素が配置され、前記電源供給部から電源供給を受ける表示部と、前記表示部内における少なくとも２つ以上の発光画素のそれぞれに一端が接続され、前記２つ以上の発光画素それぞれに印加される高電位側の電位または低電位側の電位を伝達するための複数の検出線と、前記複数の検出線の他端に接続され、前記複数の検出線の数よりも少ない数の出力線の一端に接続され、前記複数の検出線に伝達される２つ以上の前記高電位側の電位のうち少なくとも１つの印加電位を、または、伝達される２つ以上の前記低電位側の電位のうち少なくとも１つの印加電位を、前記出力線に出力する中継部と、前記中継部と出力線を介して接続され、前記中継部から出力された前記高電位側の電位と基準電位との電位差、前記低電位側の電位と基準電位との電位差、または、前記高電位側の電位と前記低電位側の電位との電位差のうち、いずれかが所定の電位差となるように、前記電源供給部から出力される前記高電位側及び低電位側の出力電位の少なくとも一方を調整する調整部とを備え、前記表示部と、前記中継部とは、同一の基板上に設けられている。
【発明の効果】
【００１３】
本発明によれば、消費電力低減効果の高い表示装置及びその駆動方法を実現できる。
【図面の簡単な説明】
【００１４】
【図１】図１は、実施の形態１に係る表示装置の概略構成を示すブロック図である。
【図２】図２は、有機ＥＬ表示部の構成を模式的に示す斜視図である。
【図３】図３は、発光画素の具体的な構成の一例を示す回路図である。
【図４】図４は、実施の形態１に係る可変電圧源の具体的な構成の一例を示すブロック図である。
【図５】図５は、実施の形態１に係る表示装置の動作を示すフローチャートである。
【図６】図６は、電圧マージン設定部が参照する必要電圧換算テーブルの一例を示す図である。
【図７】図７は、電圧マージン設定部が参照する電圧マージン換算テーブルの一例を示す図である。
【図８】図８は、第Ｎフレーム〜第Ｎ＋２フレームにおける表示装置の動作を示すタイミングチャートである。
【図９】図９は、有機ＥＬ表示部に表示される画像を模式的に示す図である。
【図１０】図１０は、実施の形態２に係る表示装置の概略構成を示すブロック図である。
【図１１】図１１は、実施の形態２に係る可変電圧源の具体的な構成の一例を示すブロック図である。
【図１２】図１２は、表示装置の動作を示すフローチャートである。
【図１３】図１３は、信号処理回路が有する必要電圧換算テーブルの一例を示す図である。
【図１４】図１４は、実施の形態３に係る表示装置の概略構成を示すブロック図である。
【図１５】図１５は、実施の形態３に係る可変電圧源の具体的な構成の一例を示すブロック図である。
【図１６】図１６は、第Ｎフレーム〜第Ｎ＋２フレームにおける表示装置の動作を示すタイミングチャートである。
【図１７】図１７は、実施の形態４に係る表示装置の概略構成の一例を示すブロック図である。
【図１８】図１８は、実施の形態４に係る表示装置の概略構成の他の一例を示すブロック図である。
【図１９Ａ】図１９Ａは、有機ＥＬ表示部に表示される画像の一例を模式的に示す図である。
【図１９Ｂ】図１９Ｂは、ｘ−ｘ’線における第１電源配線の電圧降下量を示すグラフである。
【図２０Ａ】図２０Ａは、有機ＥＬ表示部３１０に表示される画像の他の一例を模式的に示す図である。
【図２０Ｂ】図２０Ｂは、ｘ−ｘ’線における第１電源配線の電圧降下量を示すグラフである。
【図２１】図２１は、実施の形態５に係る表示装置の概略構成を示すブロック図である。
【図２２】図２２は、映像データの階調に対応する、通常の発光画素の発光輝度及びモニタ用配線を有する発光画素の発光輝度を示すグラフである。
【図２３】図２３は、線欠陥が発生している画像を模式的に示す図である。
【図２４】図２４は、駆動トランジスタの電流−電圧特性と有機ＥＬ素子の電流−電圧特性とをあわせて示すグラフである。
【図２５】図２５は、実施の形態１〜５に係る表示装置の概略構成について説明するためのブロック図である。
【図２６】図２６は、実施の形態６に係る表示装置の概略構成について説明するためのブロック図である。
【図２７】図２７は、実施の形態６に係る中継部の具体的な構成の一例を示す回路図である。
【図２８】図２８は、実施の形態６に係る中継部の具体的な構成の一例を示すブロック図である。
【図２９Ａ】図２９Ａは、実施の形態６に係る最大値検出回路の具体的な構成の一例を示す回路図である。
【図２９Ｂ】図２９Ｂは、実施の形態６に係る最大値検出回路の具体的な構成の一例を示す回路図である。
【図３０】図３０は、実施の形態６に係る最大値検出回路が最大値検出回路と最小値検出回路とで構成されている場合の表示装置の要部を示す図である。
【図３１Ａ】図３１Ａは、実施の形態６に係る最大値検出回路の具体的な構成の一例を示す回路図である。
【図３１Ｂ】図３１Ｂは、実施の形態６に係る最大値検出回路の具体的な構成の一例を示す回路図である。
【図３２Ａ】図３２Ａは、実施の形態６に係る最大値検出回路の具体的な構成の一例を示す回路図である。
【図３２Ｂ】図３２Ｂは、実施の形態６に係る最大値検出回路の具体的な構成の一例を示す回路図である。
【図３３】図３３は、実施の形態６に係る中継部内部に最大値検出回路が設けられた場合の本実施の形態に係る表示装置の概略構成を示す図である。
【図３４】図３４は、本発明の表示装置を内蔵した薄型フラットＴＶの外観図である。
【発明を実施するための形態】
【００１５】
本発明の一態様に係る表示装置は、電位側及び低電位側の少なくとも一方の電位を出力する電源供給部と、複数の発光画素が配置され、前記電源供給部から電源供給を受ける表示部と、前記表示部内における少なくとも２つ以上の発光画素のそれぞれに一端が接続され、前記２つ以上の発光画素それぞれに印加される高電位側の電位または低電位側の電位を伝達するための複数の検出線と、前記複数の検出線の他端に接続され、前記複数の検出線の数よりも少ない数の出力線の一端に接続され、前記複数の検出線に伝達される２つ以上の前記高電位側の電位のうち少なくとも１つの印加電位を、または、伝達される２つ以上の前記低電位側の電位のうち少なくとも１つの印加電位を、前記出力線に出力する中継部と、前記中継部と出力線を介して接続され、前記中継部から出力された前記高電位側の電位と基準電位との電位差、前記低電位側の電位と基準電位との電位差、または、前記高電位側の電位と前記低電位側の電位との電位差のうち、いずれかが所定の電位差となるように、前記電源供給部から出力される前記高電位側及び低電位側の出力電位の少なくとも一方を調整する調整部とを備え、前記表示部と、前記中継部とは、同一の基板上に設けられている。
【００１６】
この構成により、消費電力低減効果が高く、その効果を最大化した表示装置を実現できる。
【００１７】
これは、例えば、中継部を備えず、消費電力を低減するため複数の検出線を用いて発光画素の電源電圧をモニタする構成では、検出精度を高めるために検出線の本数を増大させると、検出線をパネル外に引き出す引出線（出力線）の本数も増大してしまい、パネルとパネル外基板との接続部の構造が複雑化するという問題が発生してしまう。
【００１８】
それに対して、本発明の一態様に係る表示装置では、表示部が設けられたパネル上に、中継部を設けることによって、検出線をパネル外に引き出す引出数（出力線）の数を削減することができるので、パネルとパネル外基板との接続部の構造を簡素化することができる。それにより、消費電力低減効果が高く、その効果を最大化した表示装置を実現できるという効果を奏する。
【００１９】
ここで、前記表示装置は、さらに、前記出力線の他端に接続され、前記調整部と接続される検出回路を備え、前記検出回路は、前記中継部により出力された前記複数の検出線に伝達される前記２つ以上の発光画素に印加される印加電位のうち、高電位側の電位で最小の電位、及び、低電位側の電位で最大の電位の少なくとも一方の電位を検出して選択し、当該選択した電位を前記調整部に出力するとしてもよい。
【００２０】
また、前記中継部は、前記出力線と接続される検出回路を内部に備え、前記検出回路は、前記複数の検出線に伝達される前記２つ以上の発光画素に印加される印加電位のうち、高電位側の電位で最小の電位、及び、低電位側の電位で最大の電位の少なくとも一方の電位を検出して選択し、当該選択した電位を前記出力線に出力するとしてもよい。
【００２１】
また、前記中継部は、前記検出線に伝達される前記２つ以上の発光画素に印加される印加電位を、時分割して前記出力線に順次出力し、前記調整部は、前記中継部から出力された前記２つ以上の発光画素に印加される印加電位のうち、前記高電位側の電位で最小の電位と基準電位との電位差、及び、前記低電位側の電位で最大の電位と基準電位との電位差の少なくとも一方が所定の電位差となるように、前記電源供給部から出力される前記高電位側及び低電位側の出力電位の少なくとも一方を調整するとしてもよい。
【００２２】
また、前記中継部は、アナログデータとして入力される前記２つ以上の発光画素に印加される印加電位を、デジタルデータに変換して出力するとしてもよい。
【００２３】
また、前記複数の発光画素は、それぞれ、駆動素子と発光素子とを備え、前記駆動素子は、ソース電極及びドレイン電極を備え、前記発光素子は、第１の電極及び第２の電極を備え、当該第１の電極が前記駆動素子のソース電極及びドレイン電極の一方に接続され、前記ソース電極及びドレイン電極の他方と前記第２の電極との一方に高電位側の電位が印加され、前記ソース電極及びドレイン電極の他方と前記第２の電極との他方に低電位側の電位が印加されるとしてもよい。
【００２４】
また、前記第２の電極は、前記複数の発光画素に共通して設けられた共通電極の一部を構成しており、該共通電極は、その周縁部から電位が印加されるように、前記電源供給部と電気的に接続され、前記予め定められた少なくとも一つの発光画素は、前記表示部の中央付近に配置されているとしてもよい。
【００２５】
これにより、表示部の中央付近という通常最も電圧降下量の大きい場所での電位差に基づいて調整するので、特に表示部が大型化した場合に、電源供給部の高電位側の出力電位及び電源供給部の低電位側の出力電位を簡便に調整できる。
【００２６】
また、前記第２の電極は、金属酸化物からなる透明導電性材料で形成されているとしてもよい。
【００２７】
また、前記発光素子が、有機ＥＬ素子であるとしてもよい。
【００２８】
これにより、消費電力が下がることにより発熱が抑えられるので、有機ＥＬ素子の劣化を抑制できる。
【００２９】
また、本発明はこのような表示装置として実現できるだけではなく、その表示装置を構成する処理部をステップとする表示装置の駆動方法としても実現できる。
【００３０】
本発明の一態様に係る表示装置の駆動方法は、高電位側及び低電位側の少なくとも一方の電位を出力する電源供給部と、複数の発光画素が配置され、前記電源供給部から電源供給を受ける表示部と前記表示部内における少なくとも２つ以上の発光画素のそれぞれに一端が接続され、前記２つ以上の発光画素それぞれに印加される高電位側の電位または低電位側の電位を伝達するための複数の検出線とを備える表示装置の駆動方法であって、前記複数の検出線に伝達される前記高電位側の電位のうち少なくとも１つの印加電位を、または、前記低電位側の電位のうち少なくとも１つの印加電位を、前記複数の検出線の数よりも少ない数の出力線に出力する中継ステップと、前記中継ステップにおいて出力された前記高電位側の電位と基準電位との電位差、前記低電位側の電位と基準電位との電位差、または、前記高電位側の電位と前記低電位側の電位との電位差のうち、いずれかが所定の電位差となるように、前記電源供給部から出力される前記高電位側及び低電位側の出力電位の少なくとも一方を調整する調整ステップとを含む。
【００３１】
以下、本発明の好ましい実施の形態を図に基づき説明する。実施の形態１〜５では、表示装置が消費電力低減効果を得るための構成について説明し、実施の形態６では、表示装置が消費電力低減効果を最大限得るための構成について説明する。なお、請求の範囲に直接的に関連する内容は、実施の形態６である。また、以下では、全ての図を通じて同一又は相当する要素には同じ符号を付して、その重複する説明を省略する。
【００３２】
（実施の形態１）
以下、本発明の実施の形態１について、表示装置が消費電力低減効果を得るための最小構成として、検出点を一点（Ｍ１）備え、モニタ用配線（検出線ともいう）と接続されている場合について、図を用いて具体的に説明する。
【００３３】
図１は、本実施の形態に係る表示装置の概略構成を示すブロック図である。
【００３４】
同図に示す表示装置５０は、有機ＥＬ表示部１１０と、データ線駆動回路１２０と、書込走査駆動回路１３０と、制御回路１４０と、信号処理回路１６５と、電位差検出回路１７０Ａからなる最大値検出回路１７０と、可変電圧源１８０と、モニタ用配線１９０とを備える。
【００３５】
図２は、有機ＥＬ表示部１１０の構成を模式的に示す斜視図である。なお、図中上方が表示面側である。
【００３６】
同図に示すように、有機ＥＬ表示部１１０は、複数の発光画素１１１と、第１電源配線１１２と、第２電源配線１１３とを有する。
【００３７】
発光画素１１１は、第１電源配線１１２及び第２電源配線１１３に接続され、当該発光画素１１１に流れる画素電流ｉｐｉｘに応じた輝度で発光する。複数の発光画素１１１のうち、予め定められた少なくとも一つの発光画素は、検出点Ｍ１でモニタ用配線１９０に接続されている。以降、モニタ用配線１９０に直接接続された発光画素１１１をモニタ用の発光画素１１１Ｍと記載する。モニタ用の発光画素１１１Ｍは、有機ＥＬ表示部１１０の中央付近に配置されている。なお、中央付近とは、中央とその周辺部とを含む。
【００３８】
第１電源配線１１２は、網目状に形成されている。一方、第２電源配線１１３は、有機ＥＬ表示部１１０にベタ膜状に形成され、有機ＥＬ表示部１１０の周縁部から可変電圧源１８０で出力された電位が印加される。図２においては、第１電源配線１１２及び第２電源配線１１３の抵抗成分を示すために、第１電源配線１１２及び第２電源配線１１３を模式的にメッシュ状に図示している。なお、第２電源配線１１３は、例えばグランド線であり、有機ＥＬ表示部１１０の周縁部で表示装置５０の共通接地電位に接地されていてもよい。
【００３９】
第１電源配線１１２には、水平方向の第１電源配線抵抗Ｒ１ｈと垂直方向の第１電源配線抵抗Ｒ１ｖが存在する。第２電源配線１１３には、水平方向の第２電源配線抵抗Ｒ２ｈと垂直方向の第２電源配線抵抗Ｒ２ｖとが存在する。なお、図示されていないが、発光画素１１１は、書込走査駆動回路１３０及びデータ線駆動回路１２０に接続され、発光画素１１１を発光及び消光するタイミングを制御するための走査線と、発光画素１１１の発光輝度に対応する信号電圧を供給するためのデータ線とも接続されている。
【００４０】
図３は、発光画素１１１の具体的な構成の一例を示す回路図である。
【００４１】
同図に示す発光画素１１１は、駆動素子と発光素子とを含み、駆動素子は、ソース電極及びドレイン電極を含み、発光素子は、第１の電極及び第２の電極を含み、当該第１の電極が前記駆動素子のソース電極及びドレイン電極の一方に接続され、ソース電極及びドレイン電極の他方と第２の電極との一方に高電位側の電位が印加され、ソース電極及びドレイン電極の他方と第２の電極との他方に低電位側の電位が印加される。具体的には、発光画素１１１は、有機ＥＬ素子１２１と、データ線１２２と、走査線１２３と、スイッチトランジスタ１２４と、駆動トランジスタ１２５と、保持容量１２６とを有する。この発光画素１１１は、有機ＥＬ表示部１１０に、例えばマトリクス状に配置されている。
【００４２】
有機ＥＬ素子１２１は、本発明の発光素子に相当し、アノードが駆動トランジスタ１２５のドレインに接続され、カソードが第２電源配線１１３に接続され、アノードとカソードとの間に流れる電流値に応じた輝度で発光する。この有機ＥＬ素子１２１のカソード側の電極は、複数の発光画素１１１に共通して設けられた共通電極の一部を構成しており、該共通電極は、その周縁部から電位が印加されるように、可変電圧源１８０と電気的に接続されている。つまり、共通電極が有機ＥＬ表示部１１０における第２電源配線１１３として機能する。また、カソード側の電極は、金属酸化物からなる透明導電性材料で形成されている。なお、有機ＥＬ素子１２１のアノード側の電極は本発明の第１の電極に相当し、有機ＥＬ素子１２１のカソード側の電極は本発明の第２の電極に相当する。
【００４３】
データ線１２２は、データ線駆動回路１２０と、スイッチトランジスタ１２４のソース及びドレインの一方に接続され、データ線駆動回路１２０により映像データに対応する信号電圧が印加される。
【００４４】
走査線１２３は、書込走査駆動回路１３０と、スイッチトランジスタ１２４のゲートに接続され、書込走査駆動回路１３０により印加される電圧に応じて、スイッチトランジスタ１２４をオン及びオフする。
【００４５】
スイッチトランジスタ１２４は、ソース及びドレインの一方がデータ線１２２に接続され、ソース及びドレインの他方が駆動トランジスタ１２５のゲート及び保持容量１２６の一端に接続された、例えば、Ｐ型薄膜トランジスタ（ＴＦＴ）である。
【００４６】
駆動トランジスタ１２５は、本発明の駆動素子に相当し、ソースが第１電源配線１１２に接続され、ドレインが有機ＥＬ素子１２１のアノードに接続され、ゲートが保持容量１２６の一端及びスイッチトランジスタ１２４のソース及びドレインの他方に接続された、例えば、Ｐ型ＴＦＴである。これにより、駆動トランジスタ１２５は、保持容量１２６に保持された電圧に応じた電流を有機ＥＬ素子１２１に供給する。また、モニタ用の発光画素１１１Ｍにおいて、駆動トランジスタ１２５のソースは、モニタ用配線１９０と接続されている。
【００４７】
保持容量１２６は、一端がスイッチトランジスタ１２４のソース及びドレインの他方に接続され、他端が第１電源配線１１２に接続され、スイッチトランジスタ１２４がオフされたときの第１電源配線１１２の電位と駆動トランジスタ１２５のゲートの電位との電位差を保持する。つまり、信号電圧に対応する電圧を保持する。
【００４８】
データ線駆動回路１２０は、映像データに対応する信号電圧を、データ線１２２を介して発光画素１１１に出力する。
【００４９】
書込走査駆動回路１３０は、複数の走査線１２３に走査信号を出力することで、複数の発光画素１１１を順に走査する。具体的には、スイッチトランジスタ１２４を行単位でオン及びオフする。これにより、書込走査駆動回路１３０により選択されている行の複数の発光画素１１１に、複数のデータ線１２２に出力された信号電圧が印加される。よって、発光画素１１１が映像データに応じた輝度で発光する。
【００５０】
制御回路１４０は、データ線駆動回路１２０及び書込走査駆動回路１３０のそれぞれに、駆動タイミングを指示する。
【００５１】
信号処理回路１６５は、入力された映像データに対応する信号電圧をデータ線駆動回路１２０へ出力する。
【００５２】
電圧マージン設定部１７５は、ピーク階調での（ＶＥＬ＋ＶＴＦＴ）電圧と、電位差検出回路１７０Ａで検出された電位差ΔＶとから、モニタ用の発光画素１１１Ｍの電位を所定の電位にするように可変電圧源１８０を調整する。具体的には、信号処理回路１６５は、電位差検出回路１７０Ａで検出された電位差を元に、電圧マージンＶｄｒｏｐを求める。そして、ピーク階調での（ＶＥＬ＋ＶＴＦＴ）電圧と、電圧マージンＶｄｒｏｐとを合計し、合計結果のＶＥＬ＋ＶＴＦＴ＋Ｖｄｒｏｐを第１基準電圧Ｖｒｅｆ１Ａの電圧として可変電圧源１８０に出力する。
【００５３】
電位差検出回路１７０Ａは、モニタ用の発光画素１１１Ｍについて、モニタ用の発光画素１１１Ｍに印加される高電位側の電位を測定する。具体的には、電位差検出回路１７０Ａは、モニタ用の発光画素１１１Ｍに印加される高電位側の電位を、モニタ用配線１９０を介して測定する。つまり、検出点Ｍ１の電位を測定する。さらに、電位差検出回路１７０Ａは、可変電圧源１８０の高電位側の出力電位を測定し、測定したモニタ用の発光画素１１１Ｍに印加される高電位側の電位と可変電圧源１８０の高電位側の出力電位との電位差ΔＶを測定する。そして、測定した電位差ΔＶを電圧マージン設定部１７５へ出力する。
【００５４】
可変電圧源１８０は、本発明の電源供給部に相当し、高電位側の電位及び低電位側の電位を有機ＥＬ表示部１１０に出力する。この可変電圧源１８０は、電圧マージン設定部１７５から出力される第１基準電圧Ｖｒｅｆ１Ａにより、モニタ用の発光画素１１１Ｍの高電位側の電位が所定の電位（ＶＥＬ＋ＶＴＦＴ）となるような出力電圧Ｖｏｕｔを出力する。
【００５５】
モニタ用配線１９０は、一端がモニタ用の発光画素１１１Ｍに接続され、他端が電位差検出回路１７０Ａに接続され、モニタ用の発光画素１１１Ｍに印加される高電位側の電位を伝達する。
【００５６】
次に、この可変電圧源１８０の詳細な構成について簡単に説明する。
【００５７】
図４は、実施の形態１に係る可変電圧源の具体的な構成の一例を示すブロック図である。なお、同図には可変電圧源に接続されている有機ＥＬ表示部１１０及び電圧マージン設定部１７５も示されている。
【００５８】
同図に示す可変電圧源１８０は、比較回路１８１と、ＰＷＭ（Ｐｕｌｓｅ  Ｗｉｄｔｈ  Ｍｏｄｕｌａｔｉｏｎ）回路１８２と、ドライブ回路１８３と、スイッチング素子ＳＷと、ダイオードＤと、インダクタＬと、コンデンサＣと、出力端子１８４とを有し、入力電圧Ｖｉｎを第１基準電圧Ｖｒｅｆ１に応じた出力電圧Ｖｏｕｔに変換し、出力端子１８４から出力電圧Ｖｏｕｔを出力する。なお、図示していないが、入力電圧Ｖｉｎが入力される入力端子の前段には、ＡＣ−ＤＣ変換器が挿入され、例えば、ＡＣ１００ＶからＤＣ２０Ｖへの変換が済んでいるものとする。
【００５９】
比較回路１８１は、出力検出部１８５及び誤差増幅器１８６を有し、出力電圧Ｖｏｕｔと第１基準電圧Ｖｒｅｆ１との差分に応じた電圧をＰＷＭ回路１８２に出力する。
【００６０】
出力検出部１８５は、出力端子１８４と、接地電位との間に挿入された２つの抵抗Ｒ１及びＲ２を有し、出力電圧Ｖｏｕｔを抵抗Ｒ１及びＲ２の抵抗比に応じて分圧し、分圧された出力電圧Ｖｏｕｔを誤差増幅器１８６へ出力する。
【００６１】
誤差増幅器１８６は、出力検出部１８５で分圧されたＶｏｕｔと、電圧マージン設定部１７５から出力された第１基準電圧Ｖｒｅｆ１Ａとを比較し、その比較結果に応じた電圧をＰＷＭ回路１８２へ出力する。具体的には、誤差増幅器１８６は、オペアンプ１８７と、抵抗Ｒ３及びＲ４とを有する。オペアンプ１８７は、反転入力端子が抵抗Ｒ３を介して出力検出部１８５に接続され、非反転入力端子が電圧マージン設定部１７５に接続され、出力端子がＰＷＭ回路１８２と接続されている。また、オペアンプ１８７の出力端子は、抵抗Ｒ４を介して反転入力端子と接続されている。これにより、誤差増幅器１８６は、出力検出部１８５から入力された電圧と信号処理回路１６５から入力された第１基準電圧Ｖｒｅｆ１Ａとの電位差に応じた電圧をＰＷＭ回路１８２へ出力する。言い換えると、出力電圧Ｖｏｕｔと第１基準電圧Ｖｒｅｆ１Ａとの電位差に応じた電圧をＰＷＭ回路１８２へ出力する。
【００６２】
ＰＷＭ回路１８２は、比較回路１８１から出力された電圧に応じてデューティの異なるパルス波形をドライブ回路１８３に出力する。具体的には、ＰＷＭ回路１８２は、比較回路１８１から出力された電圧が大きい場合オンデューティの長いパルス波形を出力し、出力された電圧が小さい場合オンデューティの短いパルス波形を出力する。言い換えると、出力電圧Ｖｏｕｔと第１基準電圧Ｖｒｅｆ１Ａとの電位差が大きい場合オンデューティの長いパルス波形を出力し、出力電圧Ｖｏｕｔと第１基準電圧Ｖｒｅｆ１Ａとの電位差が小さい場合オンデューティの短いパルス波形を出力する。なお、パルス波形のオンの期間とは、パルス波形がアクティブの期間である。
【００６３】
ドライブ回路１８３は、ＰＷＭ回路１８２から出力されたパルス波形がアクティブの期間にスイッチング素子ＳＷをオンし、ＰＷＭ回路１８２から出力されたパルス波形が非アクティブの期間にスイッチング素子ＳＷをオフする。
【００６４】
スイッチング素子ＳＷは、ドライブ回路１８３によりオン及びオフする。スイッチング素子ＳＷがオンの間だけ、入力電圧ＶｉｎがインダクタＬ及びコンデンサＣを介して、出力端子１８４に出力電圧Ｖｏｕｔとして出力される。よって、出力電圧Ｖｏｕｔは０Ｖから徐々に２０Ｖ（Ｖｉｎ）に近づいていく。この時、インダクタＬ及びコンデンサＣに充電がなされる。Ｌの両端には電圧が印加されている（充電されている）ので、その分だけ出力電圧Ｖｏｕｔは入力電圧Ｖｉｎより低い電位となる。
【００６５】
出力電圧Ｖｏｕｔが第１基準電圧Ｖｒｅｆ１Ａに近づくにつれて、ＰＷＭ回路１８２に入力される電圧は小さくなり、ＰＷＭ回路１８２が出力するパルス信号のオンデューティは短くなる。
【００６６】
するとスイッチング素子ＳＷがオンする時間も短くなり、出力電圧Ｖｏｕｔは緩やかに第１基準電圧Ｖｒｅｆ１Ａに収束してゆく。
【００６７】
最終的に、Ｖｏｕｔ＝Ｖｒｅｆ１Ａ付近の電位でわずかに電圧変動しながら出力電圧Ｖｏｕｔの電位が確定する。
【００６８】
このように、可変電圧源１８０は、信号処理回路１６５から出力された第１基準電圧Ｖｒｅｆ１Ａとなるような出力電圧Ｖｏｕｔを生成し、有機ＥＬ表示部１１０へ供給する。
【００６９】
次に、上述した表示装置５０の動作について図５〜図７を用いて説明する。
【００７０】
図５は、実施の形態１に係る表示装置５０の動作を示すフローチャートである。
【００７１】
まず、電圧マージン設定部１７５は、予め設定された、ピーク階調に対応する（ＶＥＬ＋ＶＴＦＴ）電圧をメモリから読み出す（ステップＳ１０）。具体的には、電圧マージン設定部１７５は、各色のピーク階調に対応するＶＴＦＴ＋ＶＥＬの必要電圧を示す必要電圧換算テーブルを用いて各色の階調に対応するＶＴＦＴ＋ＶＥＬを決定する。
【００７２】
図６は、電圧マージン設定部１７５が参照する必要電圧換算テーブルの一例を示す図である。
【００７３】
同図に示すように、必要電圧換算テーブルにはピーク階調（２５５階調）に対応するＶＴＦＴ＋ＶＥＬの必要電圧が格納されている。例えば、Ｒのピーク階調での必要電圧は１１．２Ｖ、Ｇのピーク階調での必要電圧は１２．２Ｖ、Ｂのピーク階調での必要電圧は８．４Ｖとなる。各色のピーク階調での必要電圧のうち、最大の電圧はＧの１２．２Ｖである。よって、電圧マージン設定部１７５は、ＶＴＦＴ＋ＶＥＬを１２．２Ｖと決定する。
【００７４】
一方、電位差検出回路１７０Ａは、検出点Ｍ１の電位を、モニタ用配線１９０を介して検出する（ステップＳ１４）。
【００７５】
次に、電位差検出回路１７０Ａは、可変電圧源１８０の出力端子１８４の電位と、検出点Ｍ１の電位との電位差ΔＶを検出する（ステップＳ１５）。そして、検出した電位差ΔＶを電圧マージン設定部１７５へ出力する。
【００７６】
次に、電圧マージン設定部１７５は、電位差検出回路１７０Ａから出力された電位差信号から、電位差検出回路１７０Ａが検出した電位差ΔＶに対応する電圧マージンＶｄｒｏｐを決定する（ステップＳ１６）。具体的には、電圧マージン設定部１７５は、電位差ΔＶに対応する電圧マージンＶｄｒｏｐを示す電圧マージン換算テーブルを有する。
【００７７】
図７は、電圧マージン設定部１７５が参照するする電圧マージン換算テーブルの一例を示す図である。
【００７８】
同図に示すように、電圧マージン換算テーブルには、電位差ΔＶに対応する電圧降下マージンＶｄｒｏｐが格納されている。例えば、電位差ΔＶが３．４Ｖの場合、電圧降下マージンＶｄｒｏｐは３．４Ｖである。よって、電圧マージン設定部１７５は、電圧マージンＶｄｒｏｐを３．４Ｖと決定する。
【００７９】
ところで、電圧マージン換算テーブルに示すように、電位差ΔＶと電圧降下マージンＶｄｒｏｐとは増加関数の関係となっている。また、可変電圧源１８０の出力電圧Ｖｏｕｔは電圧マージンＶｄｒｏｐが大きいほど高くなる。つまり、電位差ΔＶと出力電圧Ｖｏｕｔとは増加関数の関係となっている。
【００８０】
次に、電圧マージン設定部１７５は、次のフレーム期間に可変電圧源１８０に出力させる出力電圧Ｖｏｕｔを決定する（ステップＳ１７）。具体的には、次にフレーム期間に可変電圧源１８０に出力させる出力電圧Ｖｏｕｔを、有機ＥＬ素子１２１と駆動トランジスタ１２５に必要な電圧の決定（ステップＳ１３）で決定されたＶＴＦＴ＋ＶＥＬと電位差ΔＶに対応する電圧マージンの決定（ステップＳ１５）で決定された電圧マージンＶｄｒｏｐとの合計値であるＶＴＦＴ＋ＶＥＬ＋Ｖｄｒｏｐとする。
【００８１】
最後に、電圧マージン設定部１７５は、次のフレーム期間の最初に、第１基準電圧Ｖｒｅｆ１ＡをＶＴＦＴ＋ＶＥＬ＋Ｖｄｒｏｐとすることにより、可変電圧源１８０を調整する（ステップＳ１８）。これにより、次のフレーム期間において、可変電圧源１８０は、Ｖｏｕｔ＝ＶＴＦＴ＋ＶＥＬ＋Ｖｄｒｏｐとして、有機ＥＬ表示部１１０へ供給する。
【００８２】
このように、本実施の形態に係る表示装置５０は、消費電力低減効果を得るための最小構成として構成される。具体的には、この表示装置５０は、高電位側の電位及び低電位側の電位を出力する可変電圧源１８０と、有機ＥＬ表示部１１０における、モニタ用の発光画素１１１Ｍについて、当該モニタ用の発光画素１１１Ｍに印加される高電位側の電位、及び、可変電圧源１８０の高電位側の出力電圧Ｖｏｕｔを測定する電位差検出回路１７０Ａと、電位差検出回路１７０Ａで測定されたモニタ用の発光画素１１１Ｍに印加される高電位側の電位を所定の電位（ＶＴＦＴ＋ＶＥＬ）にするように可変電圧源１８０を調整する電圧マージン設定部１７５とを含む。また、電位差検出回路１７０Ａは、さらに、可変電圧源１８０の高電位側の出力電圧Ｖｏｕｔを測定し、測定した高電位側の出力電圧Ｖｏｕｔと、モニタ用の発光画素１１１Ｍに印加される高電位側の電位との電位差を検出し、電圧マージン設定部１７５は、電位差検出回路１７０Ａで検出された電位差に応じて可変電圧源を調整する。
【００８３】
これにより、表示装置５０は、水平方向の第１電源配線抵抗Ｒ１ｈ及び垂直方向の第１電源配線抵抗Ｒ１ｖによる電圧降下を検出し、その電圧降下の程度を可変電圧源１８０にフィードバックすることで、余分な電圧を減らし、消費電力を削減することができる。
【００８４】
また、表示装置５０は、モニタ用の発光画素１１１Ｍが有機ＥＬ表示部１１０の中央付近に配置されていることにより、有機ＥＬ表示部１１０が大型化した場合にも、可変電圧源１８０の出力電圧Ｖｏｕｔを簡便に調整できる。
【００８５】
また、消費電力を削減することにより有機ＥＬ素子１２１の発熱が抑えられるので、有機ＥＬ素子１２１の劣化を防止できる。
【００８６】
次に、上述の表示装置５０において、第Ｎフレーム以前と第Ｎ＋１フレーム以降とで、入力される映像データが変わる場合の表示パターンの変遷について、図８及び図９を用いて説明する。
【００８７】
最初に、第Ｎフレーム及び第Ｎ＋１フレームに入力されたと想定する映像データについて説明する。
【００８８】
まず、第Ｎフレーム以前において、有機ＥＬ表示部１１０の中心部に対応する映像データは、有機ＥＬ表示部１１０の中心部が白く見えるようなピーク階調（Ｒ：Ｇ：Ｂ＝２５５：２５５：２５５）とする。一方、有機ＥＬ表示部１１０の中心部以外に対応する映像データは、有機ＥＬ表示部１１０の中心部以外がグレーに見えるようなグレー階調（Ｒ：Ｇ：Ｂ＝５０：５０：５０）とする。
【００８９】
また、第Ｎ＋１フレーム以降において、有機ＥＬ表示部１１０の中心部に対応する映像データは、第Ｎフレームと同様にピーク階調（Ｒ：Ｇ：Ｂ＝２５５：２５５：２５５）とする。一方、有機ＥＬ表示部１１０の中心部以外に対応する映像データは、第Ｎフレームよりも明るいグレーに見えるようなグレー階調（Ｒ：Ｇ：Ｂ＝１５０：１５０：１５０）とする。
【００９０】
次に、第Ｎフレーム及び第Ｎ＋１フレームに上述のような映像データが入力された場合の、表示装置５０の動作について説明する。
【００９１】
図８は、第Ｎフレーム〜第Ｎ＋２フレームにおける表示装置５０の動作を示すタイミングチャートである。
【００９２】
同図には、電位差検出回路１７０Ａで検出された電位差ΔＶと、可変電圧源１８０からの出力電圧Ｖｏｕｔと、モニタ用の発光画素１１１Ｍの画素輝度とが示されている。また、各フレーム期間の最後には、ブランキング期間が設けられている。
【００９３】
図９は、有機ＥＬ表示部に表示される画像を模式的に示す図である。
【００９４】
時間ｔ＝Ｔ１０において、信号処理回路１６５は第Ｎフレームの映像データを入力する。電圧マージン設定部１７５は、必要電圧換算テーブルを用いて、Ｇのピーク階調での必要電圧１２．２Ｖを（ＶＴＦＴ＋ＶＥＬ）電圧と設定する。
【００９５】
一方、このとき電位差検出回路１７０Ａは、モニタ用配線１９０を介して検出点Ｍ１の電位を検出し、可変電圧源１８０から出力されている出力電圧Ｖｏｕｔとの電位差ΔＶを検出する。例えば、時間ｔ＝Ｔ１０においてΔＶ＝１Ｖを検出する。そして、電圧マージン換算テーブルを用いて、第Ｎ＋１フレームの電圧マージンＶｄｒｏｐを１Ｖと決定する。
【００９６】
時間ｔ＝Ｔ１０〜Ｔ１１は第Ｎフレームのブランキング期間であり、この期間において有機ＥＬ表示部１１０には、時間ｔ＝Ｔ１０と同じ画像が表示される。
【００９７】
図９（ａ）は、時間ｔ＝Ｔ１０〜Ｔ１１において、有機ＥＬ表示部１１０に表示される画像を模式的に示す図である。この期間において、有機ＥＬ表示部１１０に表示される画像は、第Ｎフレームの映像データに対応して、中心部が白く、中心部以外がグレーとなっている。
【００９８】
時間ｔ＝Ｔ１１において、電圧マージン設定部１７５は、第１基準電圧Ｖｒｅｆ１Ａの電圧を、上記（ＶＴＦＴ＋ＶＥＬ）電圧と、電圧マージンＶｄｒｏｐとの合計ＶＴＦＴ＋ＶＥＬ＋Ｖｄｒｏｐ（例えば、１３．２Ｖ）とする。
【００９９】
時間ｔ＝Ｔ１１〜Ｔ１６にかけて、有機ＥＬ表示部１１０には、第Ｎ＋１フレームの映像データに対応する画像が順に表示されていく（図９（ｂ）〜図９（ｆ））。このとき、可変電圧源１８０からの出力電圧Ｖｏｕｔは、常に、時間ｔ＝Ｔ１１で第１基準電圧Ｖｒｅｆ１Ａの電圧に設定したＶＴＦＴ＋ＶＥＬ＋Ｖｄｒｏｐとなっている。しかしながら、第Ｎ＋１フレームでは、有機ＥＬ表示部１１０の中心部以外に対応する映像データは、第Ｎフレームよりも明るいグレーに見えるようなグレー階調である。よって、可変電圧源１８０から有機ＥＬ表示部１１０に供給する電流量は、時間ｔ＝Ｔ１１〜Ｔ１６にかけて徐々に増加し、この電流量の増加に伴い第１電源配線１１２の電圧降下が徐々に大きくなる。これにより、明るく表示されている領域の発光画素１１１である、有機ＥＬ表示部１１０の中心部の発光画素１１１の電源電圧が不足する。言い換えると、第Ｎ＋１フレームの映像データＲ：Ｇ：Ｂ＝２５５：２５５：２５５に対応する画像よりも輝度が低下する。つまり、時間ｔ＝Ｔ１１〜Ｔ１６にかけて、有機ＥＬ表示部１１０の中心部の発光画素１１１の発光輝度は徐々に低下する。
【０１００】
次に、時間ｔ＝Ｔ１６において、信号処理回路１６５は第Ｎ＋１フレームの映像データを入力する。電圧マージン設定部１７５は、必要電圧換算テーブルを用いて、Ｇのピーク階調での必要電圧１２．２Ｖを、継続して（ＶＴＦＴ＋ＶＥＬ）電圧と設定する。
【０１０１】
一方、このとき電位差検出回路１７０Ａは、モニタ用配線１９０を介して検出点Ｍ１の電位を検出し、可変電圧源１８０から出力されている出力電圧Ｖｏｕｔとの電位差ΔＶを検出する。例えば、時間ｔ＝Ｔ１６においてΔＶ＝３Ｖを検出する。そして、電圧マージン換算テーブルを用いて、第Ｎ＋１フレームの電圧降下マージンＶｄｒｏｐを３Ｖと決定する。
【０１０２】
次に、時間ｔ＝Ｔ１７において、電圧マージン設定部１７５は、第１基準電圧Ｖｒｅｆ１Ａの電圧を、上記（ＶＴＦＴ＋ＶＥＬ）電圧と、電圧マージンＶｄｒｏｐとの合計ＶＴＦＴ＋ＶＥＬ＋Ｖｄｒｏｐ（例えば、１５．２Ｖ）とする。よって、時間ｔ＝Ｔ１７以降、検出点Ｍ１の電位は、所定の電位であるＶＴＦＴ＋ＶＥＬとなる。
【０１０３】
このように、表示装置５０は、第Ｎ＋１フレームにおいて、一時的に輝度が低下するが、非常に短い期間であり、ユーザにとってほとんど影響はない。
【０１０４】
（実施の形態２）
本実施の形態に係る表示装置は、実施の形態１に係る表示装置と比較して、可変電圧源へ入力される基準電圧が、電位差検出回路で検出された電位差ΔＶの変化に依存して変化するだけでなく、入力された映像データからフレームごと検出されたピーク信号にも依存して変化する点が異なる。以下、実施の形態１と同じ点は説明を省略し、実施の形態１と異なる点を中心に説明する。また、実施の形態１と重複する図面については、実施の形態１に適用された図面を用いる。
【０１０５】
以下、本発明の実施の形態２について、表示装置が消費電力低減効果を得るための最小構成として、検出点を一点（Ｍ１）備え、モニタ用配線（検出線ともいう）と接続されている場合について、図を用いて具体的に説明する。
【０１０６】
図１０は、本実施の形態に係る表示装置の概略構成を示すブロック図である。
【０１０７】
同図に示す表示装置１００は、有機ＥＬ表示部１１０と、データ線駆動回路１２０と、書込走査駆動回路１３０と、制御回路１４０と、ピーク信号検出回路１５０と、信号処理回路１６０と、電位差検出回路１７０Ａからなる最大値検出回路１７０と、可変電圧源１８０と、モニタ用配線１９０とを備える。
【０１０８】
有機ＥＬ表示部１１０の構成については、実施の形態１の図２及び図３に記載された構成と同様であるので説明を省略する。
【０１０９】
ピーク信号検出回路１５０は、表示装置１００に入力された映像データのピーク値を検出し、検出したピーク値を示すピーク信号を信号処理回路１６０へ出力する。具体的には、ピーク信号検出回路１５０は、映像データの中から最も高階調のデータをピーク値として検出する。高階調のデータとは、有機ＥＬ表示部１１０で明るく表示される画像に対応する。
【０１１０】
信号処理回路１６０は、ピーク信号検出回路１５０から出力されたピーク信号と、電位差検出回路１７０Ａで検出された電位差ΔＶとから、モニタ用の発光画素１１１Ｍの電位を所定の電位にするように可変電圧源１８０を調整する。具体的には、信号処理回路１６０は、ピーク信号検出回路１５０から出力されたピーク信号で発光画素１１１を発光させた場合に、有機ＥＬ素子１２１と駆動トランジスタ１２５とに必要な電圧を決定する。また、信号処理回路１６０は、電位差検出回路１７０Ａで検出された電位差を元に、電圧マージンを求める。そして、決定した、有機ＥＬ素子１２１に必要な電圧ＶＥＬと、駆動トランジスタ１２５に必要な電圧ＶＴＦＴと、電圧マージンＶｄｒｏｐとを合計し、合計結果のＶＥＬ＋ＶＴＦＴ＋Ｖｄｒｏｐを第１基準電圧Ｖｒｅｆ１の電圧として可変電圧源１８０に出力する。
【０１１１】
また、信号処理回路１６０は、ピーク信号検出回路１５０を介して入力された映像データに対応する信号電圧をデータ線駆動回路１２０へ出力する。
【０１１２】
電位差検出回路１７０Ａは、モニタ用の発光画素１１１Ｍについて、モニタ用の発光画素１１１Ｍに印加される高電位側の電位を測定する。具体的には、電位差検出回路１７０Ａは、モニタ用の発光画素１１１Ｍに印加される高電位側の電位を、モニタ用配線１９０を介して測定する。つまり、検出点Ｍ１の電位を測定する。さらに、電位差検出回路１７０Ａは、可変電圧源１８０の高電位側の出力電位を測定し、測定したモニタ用の発光画素１１１Ｍに印加される高電位側の電位と可変電圧源１８０の高電位側の出力電位との電位差ΔＶを測定する。そして、測定した電位差ΔＶを信号処理回路１６０へ出力する。
【０１１３】
可変電圧源１８０は、本発明の電源供給部に相当し、高電位側の電位及び低電位側の電位を有機ＥＬ表示部１１０に出力する。この可変電圧源１８０は、信号処理回路１６０から出力される第１基準電圧Ｖｒｅｆ１により、モニタ用の発光画素１１１Ｍの高電位側の電位が所定の電位（ＶＥＬ＋ＶＴＦＴ）となるような出力電圧Ｖｏｕｔを出力する。
【０１１４】
モニタ用配線１９０は、一端がモニタ用の発光画素１１１Ｍに接続され、他端が電位差検出回路１７０Ａに接続され、モニタ用の発光画素１１１Ｍに印加される高電位側の電位を伝達する。
【０１１５】
次に、この可変電圧源１８０の詳細な構成について簡単に説明する。
【０１１６】
図１１は、実施の形態２に係る可変電圧源の具体的な構成の一例を示すブロック図である。なお、同図には可変電圧源に接続されている有機ＥＬ表示部１１０及び信号処理回路１６０も示されている。
【０１１７】
同図に示す可変電圧源１８０は、実施の形態１で説明した可変電圧源１８０と同様である。
【０１１８】
誤差増幅器１８６は、出力検出部１８５で分圧されたＶｏｕｔと、信号処理回路１６０から出力された第１基準電圧Ｖｒｅｆ１とを比較し、その比較結果に応じた電圧をＰＷＭ回路１８２へ出力する。具体的には、誤差増幅器１８６は、オペアンプ１８７と、抵抗Ｒ３及びＲ４とを有する。オペアンプ１８７は、反転入力端子が抵抗Ｒ３を介して出力検出部１８５に接続され、非反転入力端子が信号処理回路１６０に接続され、出力端子がＰＷＭ回路１８２と接続されている。また、オペアンプ１８７の出力端子は、抵抗Ｒ４を介して反転入力端子と接続されている。これにより、誤差増幅器１８６は、出力検出部１８５から入力された電圧と信号処理回路１６０から入力された第１基準電圧Ｖｒｅｆ１との電位差に応じた電圧をＰＷＭ回路１８２へ出力する。言い換えると、出力電圧Ｖｏｕｔと第１基準電圧Ｖｒｅｆ１との電位差に応じた電圧をＰＷＭ回路１８２へ出力する。
【０１１９】
ＰＷＭ回路１８２は、比較回路１８１から出力された電圧に応じてデューティの異なるパルス波形をドライブ回路１８３に出力する。具体的には、ＰＷＭ回路１８２は、比較回路１８１から出力された電圧が大きい場合オンデューティの長いパルス波形を出力し、出力された電圧が小さい場合オンデューティの短いパルス波形を出力する。言い換えると、出力電圧Ｖｏｕｔと第１基準電圧Ｖｒｅｆ１との電位差が大きい場合オンデューティの長いパルス波形を出力し、出力電圧Ｖｏｕｔと第１基準電圧Ｖｒｅｆ１との電位差が小さい場合オンデューティの短いパルス波形を出力する。なお、パルス波形のオンの期間とは、パルス波形がアクティブの期間である。
【０１２０】
出力電圧Ｖｏｕｔが第１基準電圧Ｖｒｅｆ１に近づくにつれて、ＰＷＭ回路１８２に入力される電圧は小さくなり、ＰＷＭ回路１８２が出力するパルス信号のオンデューティは短くなる。
【０１２１】
するとスイッチング素子ＳＷがオンする時間も短くなり、出力電圧Ｖｏｕｔは緩やかに第１基準電圧Ｖｒｅｆ１に収束してゆく。
【０１２２】
最終的に、Ｖｏｕｔ＝Ｖｒｅｆ１付近の電位でわずかに電圧変動しながら出力電圧Ｖｏｕｔの電位が確定する。
【０１２３】
このように、可変電圧源１８０は、信号処理回路１６０から出力された第１基準電圧Ｖｒｅｆ１となるような出力電圧Ｖｏｕｔを生成し、有機ＥＬ表示部１１０へ供給する。
【０１２４】
次に、上述した表示装置１００の動作について図１２、図１３及び図７を用いて説明する。
【０１２５】
図１２は、表示装置１００の動作を示すフローチャートである。
【０１２６】
まず、ピーク信号検出回路１５０は、表示装置１００に入力された１フレーム期間の映像データを取得する（ステップＳ１１）。例えば、ピーク信号検出回路１５０は、バッファを有し、そのバッファに１フレーム期間の映像データを蓄積する。
【０１２７】
次に、ピーク信号検出回路１５０は、取得した映像データのピーク値を検出（ステップＳ１２）し、検出したピーク値を示すピーク信号を信号処理回路１６０へ出力する。具体的には、ピーク信号検出回路１５０は、色ごとに映像データのピーク値を検出する。例えば、映像データが赤（Ｒ）、緑（Ｇ）、青（Ｂ）のそれぞれについて０〜２５５（大きいほど輝度が高い）までの２５６階調で表されているとする。ここで、有機ＥＬ表示部１１０の一部の映像データがＲ：Ｇ：Ｂ＝１７７：１２４：１３５、有機ＥＬ表示部１１０の他の一部の映像データがＲ：Ｇ：Ｂ＝２４：１７７：５０、さらに他の一部の映像データがＲ：Ｇ：Ｂ＝１０：７０：１７６の場合、ピーク信号検出回路１５０はＲのピーク値として１７７、Ｇのピーク値として１７７、Ｂのピーク値として１７６を検出し、検出した各色のピーク値を示すピーク信号を信号処理回路１６０へ出力する。
【０１２８】
次に、信号処理回路１６０は、ピーク信号検出回路１５０から出力されたピーク値で有機ＥＬ素子１２１を発光させた場合の駆動トランジスタ１２５に必要な電圧ＶＴＦＴと、有機ＥＬ素子１２１に必要な電圧ＶＥＬとを決定する（ステップＳ１３）。具体的には、信号処理回路１６０は、各色の階調に対応するＶＴＦＴ＋ＶＥＬの必要電圧を示す必要電圧換算テーブルを用いて各色の階調に対応するＶＴＦＴ＋ＶＥＬを決定する。
【０１２９】
図１３は、信号処理回路１６０が有する必要電圧換算テーブルの一例を示す図である。
【０１３０】
同図に示すように、必要電圧換算テーブルには各色の階調に対応するＶＴＦＴ＋ＶＥＬの必要電圧が格納されている。例えば、Ｒのピーク値１７７に対応する必要電圧は８．５Ｖ、Ｇのピーク値１７７に対応する必要電圧は９．９Ｖ、Ｂのピーク値１７６に対応する必要電圧は９．９Ｖとなる。各色のピーク値に対応する必要電圧のうち、最大の電圧はＢのピーク値に対応する９．９Ｖである。よって、信号処理回路１６０は、ＶＴＦＴ＋ＶＥＬを９．９Ｖと決定する。
【０１３１】
一方、電位差検出回路１７０Ａは、検出点Ｍ１の電位を、モニタ用配線１９０を介して検出する（ステップＳ１４）。
【０１３２】
次に、電位差検出回路１７０Ａは、可変電圧源１８０の出力端子１８４の電位と、検出点Ｍ１の電位との電位差ΔＶを検出する（ステップＳ１５）。そして、検出した電位差ΔＶを信号処理回路１６０へ出力する。
【０１３３】
次に、信号処理回路１６０は、電位差検出回路１７０Ａから出力された電位差信号から、電位差検出回路１７０Ａが検出した電位差ΔＶに対応する電圧マージンＶｄｒｏｐを決定する（ステップＳ１６）。具体的には、信号処理回路１６０は、電位差ΔＶに対応する電圧マージンＶｄｒｏｐを示す電圧マージン換算テーブルを有する。
【０１３４】
図７に示すように、電圧マージン換算テーブルには、電位差ΔＶに対応する電圧降下マージンＶｄｒｏｐが格納されている。例えば、電位差ΔＶが３．４Ｖの場合、電圧降下マージンＶｄｒｏｐは３．４Ｖである。よって、信号処理回路１６０は、電圧降下マージンＶｄｒｏｐを３．４Ｖと決定する。
【０１３５】
ところで、電圧マージン換算テーブルに示すように、電位差ΔＶと電圧降下マージンＶｄｒｏｐとは増加関数の関係となっている。また、可変電圧源１８０の出力電圧Ｖｏｕｔは電圧マージンＶｄｒｏｐが大きいほど高くなる。つまり、電位差ΔＶと出力電圧Ｖｏｕｔとは増加関数の関係となっている。
【０１３６】
次に、信号処理回路１６０は、次のフレーム期間に可変電圧源１８０に出力させる出力電圧Ｖｏｕｔを決定する（ステップＳ１７）。具体的には、次にフレーム期間に可変電圧源１８０に出力させる出力電圧Ｖｏｕｔを、有機ＥＬ素子１２１と駆動トランジスタ１２５に必要な電圧の決定（ステップＳ１３）で決定されたＶＴＦＴ＋ＶＥＬと電位差ΔＶに対応する電圧マージンの決定（ステップＳ１５）で決定された電圧マージンＶｄｒｏｐとの合計値であるＶＴＦＴ＋ＶＥＬ＋Ｖｄｒｏｐとする。
【０１３７】
最後に、信号処理回路１６０は、次のフレーム期間の最初に、第１基準電圧Ｖｒｅｆ１をＶＴＦＴ＋ＶＥＬ＋Ｖｄｒｏｐとすることにより、可変電圧源１８０を調整する（ステップＳ１８）。これにより、次のフレーム期間において、可変電圧源１８０は、Ｖｏｕｔ＝ＶＴＦＴ＋ＶＥＬ＋Ｖｄｒｏｐとして、有機ＥＬ表示部１１０へ供給する。
【０１３８】
このように、本実施の形態に係る表示装置１００は、消費電力低減効果を得るための最小構成として構成される。具体的には、この表示装置１００は、高電位側の電位及び低電位側の電位を出力する可変電圧源１８０と、有機ＥＬ表示部１１０における、モニタ用の発光画素１１１Ｍについて、当該モニタ用の発光画素１１１Ｍに印加される高電位側の電位、及び、可変電圧源１８０の高電位側の出力電圧Ｖｏｕｔを測定する電位差検出回路１７０Ａと、電位差検出回路１７０Ａで測定されたモニタ用の発光画素１１１Ｍに印加される高電位側の電位を所定の電位（ＶＴＦＴ＋ＶＥＬ）にするように可変電圧源１８０を調整する信号処理回路１６０とを含む。また、電位差検出回路１７０Ａは、さらに、可変電圧源１８０の高電位側の出力電圧Ｖｏｕｔを測定し、測定した高電位側の出力電圧Ｖｏｕｔと、モニタ用の発光画素１１１Ｍに印加される高電位側の電位との電位差を検出し、信号処理回路１６０は、電位差検出回路１７０Ａで検出された電位差に応じて可変電圧源を調整する。
【０１３９】
これにより、表示装置１００は、水平方向の第１電源配線抵抗Ｒ１ｈ及び垂直方向の第１電源配線抵抗Ｒ１ｖによる電圧降下を検出し、その電圧降下の程度を可変電圧源１８０にフィードバックすることで、余分な電圧を減らし、消費電力を削減することができる。
【０１４０】
また、表示装置１００は、モニタ用の発光画素１１１Ｍが有機ＥＬ表示部１１０の中央付近に配置されていることにより、有機ＥＬ表示部１１０が大型化した場合にも、可変電圧源１８０の出力電圧Ｖｏｕｔを簡便に調整できる。
【０１４１】
また、消費電力を削減することにより有機ＥＬ素子１２１の発熱が抑えられるので、有機ＥＬ素子１２１の劣化を防止できる。
【０１４２】
次に、上述の表示装置１００において、第Ｎフレーム以前と第Ｎ＋１フレーム以降とで、入力される映像データが変わる場合の表示パターンの変遷について、図８及び図９を用いて説明する。
【０１４３】
最初に、第Ｎフレーム及び第Ｎ＋１フレームに入力されたと想定する映像データについて説明する。
【０１４４】
まず、第Ｎフレーム以前において、有機ＥＬ表示部１１０の中心部に対応する映像データは、有機ＥＬ表示部１１０の中心部が白く見えるようなピーク階調（Ｒ：Ｇ：Ｂ＝２５５：２５５：２５５）とする。一方、有機ＥＬ表示部１１０の中心部以外に対応する映像データは、有機ＥＬ表示部１１０の中心部以外がグレーに見えるようなグレー階調（Ｒ：Ｇ：Ｂ＝５０：５０：５０）とする。
【０１４５】
また、第Ｎ＋１フレーム以降において、有機ＥＬ表示部１１０の中心部に対応する映像データは、第Ｎフレームと同様にピーク階調（Ｒ：Ｇ：Ｂ＝２５５：２５５：２５５）とする。一方、有機ＥＬ表示部１１０の中心部以外に対応する映像データは、第Ｎフレームよりも明るいグレーに見えるようなグレー階調（Ｒ：Ｇ：Ｂ＝１５０：１５０：１５０）とする。
【０１４６】
次に、第Ｎフレーム及び第Ｎ＋１フレームに上述のような映像データが入力された場合の、表示装置１００の動作について説明する。
【０１４７】
図８には、電位差検出回路１７０Ａで検出された電位差ΔＶと、可変電圧源１８０からの出力電圧Ｖｏｕｔと、モニタ用の発光画素１１１Ｍの画素輝度とが示されている。また、各フレーム期間の最後には、ブランキング期間が設けられている。
【０１４８】
時間ｔ＝Ｔ１０において、ピーク信号検出回路１５０は第Ｎフレームの映像データのピーク値を検出する。信号処理回路１６０は、ピーク信号検出回路１５０で検出されたピーク値からＶＴＦＴ＋ＶＥＬを決定する。ここで、第Ｎフレームの映像データのピーク値はＲ：Ｇ：Ｂ＝２５５：２５５：２５５であるので、信号処理回路１６０は、必要電圧換算テーブルを用いて第Ｎ＋１フレームの必要電圧ＶＴＦＴ＋ＶＥＬを、例えば１２．２Ｖと決定する。
【０１４９】
一方、このとき電位差検出回路１７０Ａは、モニタ用配線１９０を介して検出点Ｍ１の電位を検出し、可変電圧源１８０から出力されている出力電圧Ｖｏｕｔとの電位差ΔＶを検出する。例えば、時間ｔ＝Ｔ１０においてΔＶ＝１Ｖを検出する。そして、電圧マージン換算テーブルを用いて、第Ｎ＋１フレームの電圧降下マージンＶｄｒｏｐを１Ｖと決定する。
【０１５０】
時間ｔ＝Ｔ１０〜Ｔ１１は第Ｎフレームのブランキング期間であり、この期間において有機ＥＬ表示部１１０には、時間ｔ＝Ｔ１０と同じ画像が表示される。
【０１５１】
図９（ａ）は、時間ｔ＝Ｔ１０〜Ｔ１１において、有機ＥＬ表示部１１０に表示される画像を模式的に示す図である。この期間において、有機ＥＬ表示部１１０に表示される画像は、第Ｎフレームの映像データに対応して、中心部が白く、中心部以外がグレーとなっている。
【０１５２】
時間ｔ＝Ｔ１１において、信号処理回路１６０は、第１基準電圧Ｖｒｅｆ１の電圧を、決定した必要電圧ＶＴＦＴ＋ＶＥＬと、電圧降下マージンＶｄｒｏｐとの合計ＶＴＦＴ＋ＶＥＬ＋Ｖｄｒｏｐ（例えば、１３．２Ｖ）とする。
【０１５３】
時間ｔ＝Ｔ１１〜Ｔ１６にかけて、有機ＥＬ表示部１１０には、第Ｎ＋１フレームの映像データに対応する画像が順に表示されていく（図９（ｂ）〜図９（ｆ））。このとき、可変電圧源１８０からの出力電圧Ｖｏｕｔは、常に、時間ｔ＝Ｔ１１で第１基準電圧Ｖｒｅｆ１の電圧に設定したＶＴＦＴ＋ＶＥＬ＋Ｖｄｒｏｐとなっている。しかしながら、第Ｎ＋１フレームでは、有機ＥＬ表示部１１０の中心部以外に対応する映像データは、第Ｎフレームよりも明るいグレーに見えるようなグレー階調である。よって、可変電圧源１８０から有機ＥＬ表示部１１０に供給する電流量は、時間Ｔ１１〜Ｔ１６にかけて徐々に増加し、この電流量の増加に伴い第１電源配線１１２の電圧降下が徐々に大きくなる。これにより、明るく表示されている領域の発光画素１１１である、有機ＥＬ表示部１１０の中心部の発光画素１１１の電源電圧が不足する。言い換えると、第Ｎ＋１フレームの映像データＲ：Ｇ：Ｂ＝２５５：２５５：２５５に対応する画像よりも輝度が低下する。つまり、時間ｔ＝Ｔ１１〜Ｔ１６にかけて、有機ＥＬ表示部１１０の中心部の発光画素１１１の発光輝度は徐々に低下する。
【０１５４】
次に、時間ｔ＝Ｔ１６において、ピーク信号検出回路１５０は第Ｎ＋１フレームの映像データのピーク値を検出する。ここで検出される第Ｎ＋１フレームの映像データのピーク値はＲ：Ｇ：Ｂ＝２５５：２５５：２５５であるので、信号処理回路１６０は第Ｎ＋２フレームの必要電圧ＶＴＦＴ＋ＶＥＬを、例えば１２．２Ｖと決定する。
【０１５５】
一方、このとき電位差検出回路１７０Ａは、モニタ用配線１９０を介して検出点Ｍ１の電位を検出し、可変電圧源１８０から出力されている出力電圧Ｖｏｕｔとの電位差ΔＶを検出する。例えば、時間ｔ＝Ｔ１６においてΔＶ＝３Ｖを検出する。そして、電圧マージン換算テーブルを用いて、第Ｎ＋１フレームの電圧降下マージンＶｄｒｏｐを３Ｖと決定する。
【０１５６】
次に、時間ｔ＝Ｔ１７において、信号処理回路１６０は、第１基準電圧Ｖｒｅｆ１の電圧を、決定した必要電圧ＶＴＦＴ＋ＶＥＬと、電圧降下マージンＶｄｒｏｐとの合計ＶＴＦＴ＋ＶＥＬ＋Ｖｄｒｏｐ（例えば、１５．２Ｖ）とする。よって、時間ｔ＝Ｔ１７以降、検出点Ｍ１の電位は、所定の電位であるＶＴＦＴ＋ＶＥＬとなる。
【０１５７】
このように、表示装置１００は、第Ｎ＋１フレームにおいて、一時的に輝度が低下するが、非常に短い期間であり、ユーザにとってほとんど影響はない。
【０１５８】
（実施の形態３）
実施の形態３では、実施の形態１とは別の例、すなわち表示装置が消費電力低減効果を得るための最小構成として検出点を一点（Ｍ１）備え、モニタ用配線（検出線）と接続されている場合の別の例について説明する。本実施の形態に係る表示装置は、実施の形態２に係る表示装置１００とほぼ同じであるが、電位差検出回路１７０Ａを備えず、検出点Ｍ１の電位が可変電圧源に入力される点が異なる。また、信号処理回路は、可変電圧源に出力する電圧を必要電圧ＶＴＦＴ＋ＶＥＬとする点が異なる。これにより、本実施の形態に係る表示装置は、電圧降下量に応じてリアルタイムに可変電圧源の出力電圧Ｖｏｕｔを調整できるので、実施の形態２と比較して、画素輝度の一時的な低下を防止できる。以下、このことについて、図を用いて具体的に説明する。
【０１５９】
図１４は、本実施の形態に係る表示装置の概略構成を示すブロック図である。
【０１６０】
同図に示す本実施の形態に係る表示装置２００は、図１０に示した実施の形態２に係る表示装置１００と比較して、電位差検出回路１７０Ａを備えない点と、モニタ用配線１９０に代わりモニタ用配線２９０を備える点と、信号処理回路１６０に代わり信号処理回路２６０を備える点と、可変電圧源１８０に代わり可変電圧源２８０を備える点とが異なる。
【０１６１】
信号処理回路２６０は、ピーク信号検出回路１５０から出力されたピーク信号から、可変電圧源２８０に出力する第２基準電圧Ｖｒｅｆ２の電圧を決定する。具体的には、信号処理回路２６０は、必要電圧換算テーブルを用いて、有機ＥＬ素子１２１に必要な電圧ＶＥＬと駆動トランジスタ１２５に必要な電圧ＶＴＦＴとの合計ＶＴＦＴ＋ＶＥＬを決定する。そして、決定したＶＴＦＴ＋ＶＥＬを第２基準電圧Ｖｒｅｆ２の電圧とする。
【０１６２】
このように、本実施の形態に係る表示装置２００の信号処理回路２６０が可変電圧源２８０に出力する第２基準電圧Ｖｒｅｆ２は、実施の形態２に係る表示装置１００の信号処理回路１６０が可変電圧源１８０に出力する第１基準電圧Ｖｒｅｆ１と異なり、映像データのみに対応して決定される電圧である。つまり、第２基準電圧Ｖｒｅｆ２は、可変電圧源２８０の出力電圧Ｖｏｕｔと検出点Ｍ１の電位との電位差ΔＶに依存しない。
【０１６３】
可変電圧源２８０は、モニタ用の発光画素１１１Ｍに印加される高電位側の電位を、モニタ用配線２９０を介して測定する。つまり、検出点Ｍ１の電位を測定する。そして、測定した検出点Ｍ１の電位と、信号処理回路２６０から出力された第２基準電圧Ｖｒｅｆ２とに応じて、出力電圧Ｖｏｕｔを調整する。
【０１６４】
モニタ用配線２９０は、一端が検出点Ｍ１に接続され、他端が可変電圧源２８０に接続され、検出点Ｍ１の電位を可変電圧源２８０に伝達する。
【０１６５】
図１５は、実施の形態３に係る可変電圧源２８０の具体的な構成の一例を示すブロック図である。なお、同図には可変電圧源に接続されている有機ＥＬ表示部１１０及び信号処理回路２６０も示されている。
【０１６６】
同図に示す可変電圧源２８０は、図１１に示した可変電圧源１８０の構成とほぼ同じであるが、比較回路１８１に代わり、検出点Ｍ１の電位と第２基準電圧Ｖｒｅｆ２とを比較する比較回路２８１を備える点が異なる。
【０１６７】
ここで、可変電圧源２８０の出力電位をＶｏｕｔとし、可変電圧源２８０の出力端子１８４から検出点Ｍ１までの電圧降下量をΔＶとすると、検出点Ｍ１の電位はＶｏｕｔ−ΔＶとなる。つまり、本実施の形態において、比較回路２８１はＶｒｅｆ２とＶｏｕｔ−ΔＶとを比較している。上述したように、Ｖｒｅｆ２＝ＶＴＦＴ＋ＶＥＬなので、比較回路２８１はＶＴＦＴ＋ＶＥＬとＶｏｕｔ−ΔＶとを比較していると言える。
【０１６８】
一方、実施の形態２において、比較回路１８１はＶｒｅｆ１とＶｏｕｔとを比較している。上述したように、Ｖｒｅｆ１＝ＶＴＦＴ＋ＶＥＬ＋ΔＶなので、実施の形態２において、比較回路１８１はＶＴＦＴ＋ＶＥＬ＋ΔＶとＶｏｕｔとを比較していると言える。
【０１６９】
よって、比較回路２８１は、比較回路１８１と比較対象が異なるが、比較結果は同じである。つまり、実施の形態２と実施の形態３とで、可変電圧源２８０の出力端子１８４から検出点Ｍ１までの電圧降下量が等しい場合、比較回路１８１がＰＷＭ回路に出力する電圧と、比較回路２８１がＰＷＭ回路に出力する電圧とは同じである。その結果、可変電圧源１８０の出力電圧Ｖｏｕｔと可変電圧源２８０の出力電圧Ｖｏｕｔとは等しくなる。また、実施の形態２においても、電位差ΔＶと出力電圧Ｖｏｕｔとは増加関数の関係となっている。
【０１７０】
以上のように構成された表示装置２００は、実施の形態２に係る表示装置１００と比較して、出力端子１８４と検出点Ｍ１との電位差ΔＶに応じて出力電圧Ｖｏｕｔをリアルタイムに調整できる。なぜならば、実施の形態２に係る表示装置１００においては、信号処理回路１６０から各フレーム期間の最初にだけ、当該フレームにおける第１基準電圧Ｖｒｅｆ１の変更がされていた。一方、本実施の形態に係る表示装置２００においては、信号処理回路２６０を介さずに、可変電圧源２８０の比較回路１８１に直接ΔＶに依存した電圧、つまりＶｏｕｔ−ΔＶ、が入力されることにより、信号処理回路２６０の制御に依存せずにＶｏｕｔを調整することができるからである。
【０１７１】
次に、このように構成された表示装置２００において、実施の形態２と同様に、第Ｎフレーム以前と第Ｎ＋１フレーム以降とで、入力される映像データが変わる場合の、表示装置２００の動作について説明する。なお、入力される映像データは実施の形態２と同様に、第Ｎフレーム以前の、有機ＥＬ表示部１１０の中心部がＲ：Ｇ：Ｂ＝２５５：２５５：２５５、中心部以外がＲ：Ｇ：Ｂ＝５０：５０：５０とし、第Ｎ＋１フレーム以降の、有機ＥＬ表示部１１０の中心部がＲ：Ｇ：Ｂ＝２５５：２５５：２５５、中心部以外がＲ：Ｇ：Ｂ＝１５０：１５０：１５０とする。
【０１７２】
図１６は、第Ｎフレーム〜第Ｎ＋２フレームにおける表示装置２００の動作を示すタイミングチャートである。
【０１７３】
時間ｔ＝Ｔ２０において、ピーク信号検出回路１５０は第Ｎフレームの映像データのピーク値を検出する。信号処理回路２６０は、ピーク信号検出回路１５０で検出されたピーク値からＶＴＦＴ＋ＶＥＬを求める。ここで、第Ｎフレームの映像データのピーク値はＲ：Ｇ：Ｂ＝２５５：２５５：２５５であるので、信号処理回路１６０は、必要電圧換算テーブルを用いて第Ｎ＋１フレームの必要電圧ＶＴＦＴ＋ＶＥＬを、例えば１２．２Ｖと決定する。
【０１７４】
一方、出力検出部１８５は、モニタ用配線２９０を介して検出点Ｍ１の電位を、常に検出している。
【０１７５】
次に、時間ｔ＝Ｔ２１において、信号処理回路２６０は、第２基準電圧Ｖｒｅｆ２の電圧を、決定した必要電圧ＶＴＦＴ＋ＴＥＬ（例えば、１２．２Ｖ）とする。
【０１７６】
時間ｔ＝Ｔ２１〜２２にかけて、有機ＥＬ表示部１１０には、第Ｎ＋１フレームの映像データに対応する画像が順に表示されていく。このとき、可変電圧源２８０から有機ＥＬ表示部１１０に供給する電流量は、実施の形態２で説明したように徐々に増加する。よって、電流量の増加に伴い第１電源配線１１２における電圧降下が徐々に大きくなる。つまり、検出点Ｍ１の電位が徐々に低下する。言い換えると、出力電圧Ｖｏｕｔと検出点Ｍ１の電位との電位差ΔＶが徐々に増大する。
【０１７７】
ここで、誤差増幅器１８６は、ＶＴＦＴ＋ＶＥＬとＶｏｕｔ−ΔＶとの電位差に応じた電圧をリアルタイムに出力するので、電位差ΔＶの増大に応じてＶｏｕｔを上昇させるような電圧を出力する。
【０１７８】
よって、可変電圧源２８０は、電位差ΔＶの増大に応じてＶｏｕｔをリアルタイムに上昇する。
【０１７９】
これにより、明るく表示されている領域の発光画素１１１である、有機ＥＬ表示部１１０の中心部の発光画素１１１の電源電圧の不足は解消する。つまり、画素輝度の低下を解消する。
【０１８０】
以上のように、本実施の形態に係る表示装置２００は、消費電力低減効果を得るための最小構成として構成される。具体的には、この表示装置２００は、信号処理回路１６０と、可変電圧源２８０の誤差増幅器１８６、ＰＷＭ回路１８２及びドライブ回路１８３は、出力検出部１８５で測定されたモニタ用の発光画素１１１Ｍの高電位側の電位と、所定の電位との電位差を検出し、検出した電位差に応じてスイッチング素子ＳＷを調整する。これにより、本実施の形態に係る表示装置２００は、実施の形態２に係る表示装置１００と比較して、電圧降下量に応じてリアルタイムに可変電圧源２８０の出力電圧Ｖｏｕｔを調整できるので、実施の形態２と比較して、画素輝度の一時的な低下を防止できる。
【０１８１】
なお、本実施の形態において、有機ＥＬ表示部１１０は本発明の表示部に相当し、図１５において一点鎖線で囲まれている、信号処理回路１６０と、可変電圧源２８０の誤差増幅器１８６、ＰＷＭ回路１８２及びドライブ回路１８３とは本発明の電圧調整部に相当する。図１５において２点鎖線で囲まれている、スイッチング素子ＳＷ、ダイオードＤ、インダクタＬ及びコンデンサＣは本発明の電源供給部に相当する。
【０１８２】
（実施の形態４）
以下、本発明の実施の形態４について、表示装置が消費電力低減効果を得るための構成として、検出点を複数点（Ｍ１〜Ｍ５）備え、それらがモニタ用配線（検出線）と接続されている場合について説明する。
【０１８３】
本実施の形態に係る表示装置は、実施の形態２に係る表示装置１００とほぼ同じであるが、２以上の発光画素１１１のそれぞれについて高電位側の電位を測定し、測定した複数の電位のそれぞれと可変電圧源１８０の出力電圧との電位差を検出し、その検出結果のうち、最大の電位差に応じて、可変電圧源１８０を調整する点が異なる。これにより、可変電圧源１８０の出力電圧Ｖｏｕｔをより適切に調整することが可能となる。よって、有機ＥＬ表示部を大型化した場合であっても、消費電力を効果的に削減できる。以下、このことについて、図を用いて具体的に説明する。
【０１８４】
図１７は、本実施の形態に係る表示装置の概略構成の一例を示すブロック図である。
【０１８５】
同図に示す本実施の形態に係る表示装置３００Ａは、図１０に示した実施の形態２に係る表示装置１００とほぼ同じであるが、表示装置１００と比較してさらに電位比較回路３７０Ａを備え、有機ＥＬ表示部１１０に代わり有機ＥＬ表示部３１０を備え、モニタ用配線１９０に代わりモニタ用配線３９１〜３９５を備える点が異なる。ここで、電位比較回路３７０Ａと、電位差検出回路１７０Ａとで、最大値回路３７０を構成する。
【０１８６】
有機ＥＬ表示部３１０は、有機ＥＬ表示部１１０とほぼ同じであるが、有機ＥＬ表示部１１０と比較して、検出点Ｍ１〜Ｍ５と１対１に対応して設けられ、対応する検出点の電位を測定するためのモニタ用配線３９１〜３９５が配置されている点が異なる。
【０１８７】
検出点Ｍ１〜Ｍ５は、有機ＥＬ表示部３１０内に均等に設けられていることが望ましく、図１７に示すように、例えば、有機ＥＬ表示部３１０の中心と、有機ＥＬ表示部３１０を４分割した各領域の中心とが望ましい。なお、同図には、５つの検出点Ｍ１〜Ｍ５が図示されているが、検出点は複数ではあればよく、２つでも、３つでもよい。
【０１８８】
モニタ用配線３９１〜３９５は、それぞれ、対応する検出点Ｍ１〜Ｍ５と、電位比較回路３７０Ａとに接続され、対応する検出点Ｍ１〜Ｍ５の電位を伝達する。これにより、電位比較回路３７０Ａは、モニタ用配線３９１〜３９５を介して検出点Ｍ１〜Ｍ５の電位を測定できる。
【０１８９】
電位比較回路３７０Ａは、モニタ用配線３９１〜３９５を介して検出点Ｍ１〜Ｍ５の電位を測定する。言い換えると、複数のモニタ用の発光画素１１１Ｍに印加される高電位側の電位を測定する。さらに、測定した検出点Ｍ１〜Ｍ５の電位のうち最小の電位を選択し、選択した電位を電位差検出回路１７０Ａへ出力する。
【０１９０】
電位差検出回路１７０Ａは、実施の形態２と同様に入力された電位と可変電圧源１８０の出力電圧Ｖｏｕｔとの電位差ΔＶを検出し、検出した電位差ΔＶを信号処理回路１６０へ出力する。
【０１９１】
よって、信号処理回路１６０は電位比較回路３７０Ａで選択された電位に基づいて可変電圧源１８０を調整する。その結果、可変電圧源１８０は、複数のモニタ用の発光画素１１１Ｍのいずれにおいても輝度の低下が生じないような出力電圧Ｖｏｕｔを、有機ＥＬ表示部３１０に供給する。
【０１９２】
以上のように、本実施の形態に係る表示装置３００Ａは、電位比較回路３７０Ａが、有機ＥＬ表示部３１０内における複数の発光画素１１１のそれぞれについて、印加される高電位側の電位を測定し、測定した複数の発光画素１１１の電位のうち最小の電位を選択する。そして、電位差検出回路１７０Ａが、電位比較回路３７０Ａで選択された最小の電位と、可変電圧源１８０の出力電圧Ｖｏｕｔとの電位差ΔＶを検出する。そして、信号処理回路１６０が検出された電位差ΔＶに応じて可変電圧源１８０を調整する。
【０１９３】
なお、本実施の形態に係る表示装置３００Ａにおいて、可変電圧源１８０は本発明の電源供給部に相当し、有機ＥＬ表示部３１０は本発明の表示部に相当し、電位比較回路３７０Ａの他部、電位差検出回路１７０Ａ及び信号処理回路１６０は本発明の電圧調整部に相当する。
【０１９４】
また、表示装置３００Ａでは電位比較回路３７０Ａと電位差検出回路１７０Ａとを別に設けていたが、電位比較回路３７０Ａと電位差検出回路１７０Ａの代わりに、可変電圧源１８０の出力電圧Ｖｏｕｔと検出点Ｍ１〜Ｍ５のそれぞれの電位とを比較する電位比較回路を備えてもよい。
【０１９５】
図１８は、実施の形態４に係る表示装置の概略構成の他の一例を示すブロック図である。
【０１９６】
同図に示す表示装置３００Ｂは、図１７に示した表示装置３００Ａとほぼ同じ構成であるが、最大値回路３７１の構成が異なる。つまり、電位比較回路３７０Ａと電位差検出回路１７０Ａとの代わりに、電位比較回路３７０Ｂを備える点が異なる。
【０１９７】
電位比較回路３７０Ｂは、可変電圧源１８０の出力電圧Ｖｏｕｔと検出点Ｍ１〜Ｍ５のそれぞれの電位とを比較することで、検出点Ｍ１〜Ｍ５に対応する複数の電位差を検出する。そして、検出した電位差のうち、最大の電位差を選択し、当該最大の電位差である電位差ΔＶを信号処理回路１６０へと出力する。
【０１９８】
信号処理回路１６０は、表示装置３００Ａの信号処理回路１６０と同様に、可変電圧源１８０を調整する。
【０１９９】
なお、表示装置３００Ｂにおいて、可変電圧源１８０は本発明の電源供給部に相当し、有機ＥＬ表示部３１０は本発明の表示部に相当する。
【０２００】
以上のように、本実施の形態に係る表示装置３００Ａ及び３００Ｂは、複数のモニタ用の発光画素１１１Ｍのいずれにおいても輝度の低下が生じないような出力電圧Ｖｏｕｔを有機ＥＬ表示部３１０に供給する。つまり、出力電圧Ｖｏｕｔをより適切な値とすることで、消費電力をより低減し、かつ、発光画素１１１の輝度の低下を抑制することができる。以下、この効果について、図１９Ａ〜図２０Ｂを用いて説明する。
【０２０１】
図１９Ａは有機ＥＬ表示部３１０に表示される画像の一例を模式的に示す図であり、図１９Ｂは図１９Ａに示す画像を表示している場合のｘ−ｘ’線における第１電源配線１１２の電圧降下量を示すグラフである。また、図２０Ａは有機ＥＬ表示部３１０に表示される画像の他の一例を模式的に示す図であり、図２０Ｂは図２０Ａに示す画像を表示している場合のｘ−ｘ’線における第１電源配線１１２の電圧降下量を示すグラフである。
【０２０２】
図１９Ａに示すように、有機ＥＬ表示部３１０の全ての発光画素１１１が同じ輝度で発光している場合、第１電源配線１１２の電圧降下量は図１９Ｂに示すようになる。
【０２０３】
従って、画面中心の検出点Ｍ１の電位を調べれば、電圧降下のワーストケースがわかる。よって、検出点Ｍ１の電圧降下量ΔＶに対応する電圧降下マージンＶｄｒｏｐをＶＴＦＴ＋ＶＥＬに加算することにより、有機ＥＬ表示部３１０内の全ての発光画素１１１を正確な輝度で発光させることができる。
【０２０４】
一方、図２０Ａに示すように、画面を上下方向に２等分割かつ横方向に２等分割した領域、つまり画面を４分割した領域、の中心部の発光画素１１１が同じ輝度で発光かつ他の発光画素１１１が消光している場合、第１電源配線１１２の電圧降下量は図２０Ｂに示すようになる。
【０２０５】
従って、画面中心の検出点Ｍ１の電位のみを測定する場合は、検出した電位に、あるオフセット電位を加えた電圧を、電圧降下マージンとして設定する必要がある。例えば、画面中心の電圧降下量（０．２Ｖ）に対して、常に１．３Ｖのオフセットを追加した電圧を、電圧降下マージンＶｄｒｏｐとして設定するように電圧マージン換算テーブルを設定しておけば、有機ＥＬ表示部３１０内の全発光画素１１１を、正確な輝度で発光させることができる。ここで、正確な輝度で発光するとは、発光画素１１１の駆動トランジスタ１２５が飽和領域で動作しているということである。
【０２０６】
しかし、この場合、電圧降下マージンＶｄｒｏｐとして常に１．３Ｖが必要になるので、消費電力低減効果が小さくなってしまう。例えば、実際の電圧降下量が０．１Ｖの画像の場合でも、電圧降下マージンとして０．１＋１．３＝１．４Ｖ持つことになるので、その分だけ出力電圧Ｖｏｕｔが高くなり、消費電力の低減効果が小さくなる。
【０２０７】
そこで、画面中心の検出点Ｍ１だけでなく、図２０Ａに示すように、画面を四分割し、そのそれぞれの中心と、画面全体の中心との５箇所の検出点Ｍ１〜Ｍ５の電位を測定する構成にすることにより、電圧降下量を検出する精度を高めることができる。よって、追加のオフセット量を少なくして、消費電力低減効果を高めることができる。
【０２０８】
例えば、図２０Ａ及び図２０Ｂにおいて、検出点Ｍ２〜Ｍ５の電位が１．３Ｖの場合、０．２Ｖのオフセットを追加した電圧を電圧降下マージンとして設定するようにすれば、有機ＥＬ表示部３１０内の全発光画素１１１を正確な輝度で発光させることができる。
【０２０９】
この場合は、実際の電圧降下量が０．１Ｖの画像の場合でも、電圧降下マージンＶｄｒｏｐとして設定される値は０．１＋０．２＝０．３Ｖなので、画面中心の検出点Ｍ１の電位のみを測定した場合に比べてさらに１．１Ｖの電源電圧を低減することができる。
【０２１０】
以上のように、表示装置３００Ａ及び３００Ｂは、表示装置１００及び２００と比較して、検出点が多く、測定した複数の電圧降下量の最大値に応じて出力電圧Ｖｏｕｔを調整することが可能となる。よって、有機ＥＬ表示部３１０を大型化した場合であっても、消費電力を効果的に削減できる。
【０２１１】
（実施の形態５）
本実施の形態では、実施の形態４とは別の例、すなわち表示装置が消費電力低減効果を得るための構成として、検出点を複数点（Ｍ１〜Ｍ５）備え、それらがモニタ用配線（検出線）と接続されている場合の別の例について説明する。本実施の形態に係る表示装置は、実施の形態４に係る表示装置３００Ａ及び３００Ｂと同様に、２以上の発光画素１１１のそれぞれについて高電位側の電位を測定し、測定した複数の電位のそれぞれと可変電圧源の出力電圧との電位差を検出する。そして、その検出結果のうち、最大の電位差に応じて、可変電圧源の出力電圧が変化するように、可変電圧源を調整する。ただし、本実施の形態に係る表示装置は、表示装置３００Ａ及び３００Ｂと比較して、電位比較回路で選択された電位が信号処理回路ではなく、可変電圧源に入力されている点が異なる。
【０２１２】
これにより、本実施の形態に係る表示装置は、電圧降下量に応じてリアルタイムに可変電圧源の出力電圧Ｖｏｕｔを調整できるので、実施の形態４に係る表示装置３００Ａ及び３００Ｂと比較して画素輝度の一時的な低下を防止できる。以下、このことについて、図を用いて具体的に説明する。
【０２１３】
図２１は、本実施の形態に係る表示装置の概略構成を示すブロック図である。
【０２１４】
同図に示す表示装置４００は、実施の形態４に係る表示装置３００Ａとほぼ同様の構成を有するが、可変電圧源１８０に代わり可変電圧源２８０を備え、信号処理回路１６０に代わり信号処理回路２６０を備え、電位差検出回路１７０Ａを備えず、電位比較回路３７０Ａからなる最大値検出回路３２を備え、その電位比較回路３７０Ａで選択された電位が可変電圧源２８０に入力される点が異なる。
【０２１５】
これにより、可変電圧源２８０は、電位比較回路３７０Ａで選択された最も低い電圧に応じて出力電圧Ｖｏｕｔをリアルタイムに上昇する。
【０２１６】
よって、本実施の形態に係る表示装置４００は、表示装置３００Ａ及び３００Ｂと比較して、画素輝度の一時的な低下を解消できる。
【０２１７】
以上、実施の形態１〜５の表示装置によれば、電源供給部から少なくとも一つの発光画素までに発生する電圧降下量に応じて、電源供給部の高電位側の出力電位及び電源供給部の低電位側の出力電位の少なくとも一方を調整することにより、消費電力を削減することができる。つまり、実施の形態１〜５によれば、消費電力低減効果の高い表示装置を実現することができる。
【０２１８】
なお、消費電力低減効果の高い表示装置は、上述した実施の形態に限定されるものではない。実施の形態１〜５に対して、本発明の主旨を逸脱しない範囲で当業者が思いつく各種変形を施して得られる変形例や、本発明に係る表示装置を内蔵した各種機器も本発明に含まれる。
【０２１９】
例えば、有機ＥＬ表示部内のモニタ用配線が配置されている発光画素の発光輝度の低下を補償してもよい。
【０２２０】
図２２は、映像データの階調に対応する、通常の発光画素の発光輝度及びモニタ用配線を有する発光画素の発光輝度を示すグラフである。なお、通常の発光画素とは、有機ＥＬ表示部の発光画素のうちモニタ用配線が配置されている発光画素以外の発光画素のことである。
【０２２１】
同図から明らかなように、映像データの階調が同じ場合、モニタ用配線を有する発光画素の輝度は、通常の発光画素の輝度よりも低下する。これは、モニタ用配線を設けたことにより、発光画素の保持容量１２６の容量値が減少してしまうからである。よって、有機ＥＬ表示部の全面を均一に同じ輝度で発光させるような映像データが入力されても、実際に有機ＥＬ表示部に表示される画像は、モニタ用配線を有する発光画素の輝度が他の発光画素の輝度より低くなるような画像となる。つまり、線欠陥が発生する。図２３は、線欠陥が発生している画像を模式的に示す図である。同図には、例えば、表示装置３００Ａで線欠陥が発生している場合の有機ＥＬ表示部３１０に表示される画像が模式的に示されている。
【０２２２】
線欠陥を防止するために、表示装置は、データ線駆動回路１２０から有機ＥＬ表示部に供給する信号電圧を補正してもよい。具体的には、モニタ用配線を有する発光画素の位置は設計時にわかっているので、該当する場所の画素に与える信号電圧を、予め輝度が低下する分だけ高めに設定しておけばよい。これにより、モニタ用配線を設けたことによる線欠陥を防止できる。
【０２２３】
また、信号処理回路１６０及び２６０は、各色の階調に対応するＶＴＦＴ＋ＶＥＬの必要電圧を示す必要電圧換算テーブルを有するとしたが、必要電圧換算テーブルに代わり駆動トランジスタ１２５の電流−電圧特性と有機ＥＬ素子１２１の電流−電圧特性とを有し、２つの電流―電圧特性を用いてＶＴＦＴ+ＶＥＬを決定してもよい。
【０２２４】
図２４は、駆動トランジスタの電流−電圧特性と有機ＥＬ素子の電流−電圧特性とをあわせて示すグラフである。横軸は、駆動トランジスタのソース電位に対して下がる方向を正方向としている。
【０２２５】
同図には、２つの異なる階調に対応する駆動トランジスタの電流−電圧特性及び有機ＥＬ素子の電流−電圧特性が示され、低い階調に対応する駆動トランジスタの電流−電圧特性がＶｓｉｇ１、高い階調に対応する駆動トランジスタの電流−電圧特性がＶｓｉｇ２で示されている。
【０２２６】
駆動トランジスタのドレイン−ソース電圧の変動に起因する表示不良の影響を無くすためには、駆動トランジスタを飽和領域で動作させることが必要である。一方、有機ＥＬ素子の発光輝度は駆動電流によって決定される。したがって、映像データの階調に対応して有機ＥＬ素子を正確に発光させるためには、駆動トランジスタのソースと有機ＥＬ素子のカソードとの間の電圧から有機ＥＬ素子の駆動電流に対応する有機ＥＬ素子の駆動電圧（ＶＥＬ）を差し引き、差し引いた残りの電圧が駆動トランジスタを飽和領域で動作させることが可能な電圧となっていればよい。また、消費電力を低減するためには、駆動トランジスタの駆動電圧（ＶＴＦＴ）が低いことが望ましい。
【０２２７】
よって、図２４において、駆動トランジスタの線形領域と飽和領域との境界を示す線上で駆動トランジスタの電流−電圧特性と有機ＥＬ素子の電流−電圧特性とが交差する点を通る特性により求められるＶＴＦＴ＋ＶＥＬが、映像データの階調に対応して有機ＥＬ素子を正確に発光し、かつ、消費電力が最も低減できる。
【０２２８】
このように、図２４に示したグラフを用いて、各色の階調に対応するＶＴＦＴ＋ＶＥＬの必要電圧を換算してもよい。
【０２２９】
また、各実施の形態においては、可変電圧源は第１電源配線１１２に高電位側の出力電圧Ｖｏｕｔを供給し、第２電源配線１１３は有機ＥＬ表示部の周縁部において、接地されているとしたが、可変電圧源は第２電源配線１１３に低電位側の出力電圧を供給してもよい。
【０２３０】
また、表示装置は、一端がモニタ用の発光画素１１１Ｍに接続され、他端が各実施の形態に係る電圧測定部に接続され、モニタ用の発光画素１１１Ｍに印加される低電位側の電位を伝達するための低電位モニタ線を備えてもよい。
【０２３１】
また、各実施の形態において、電圧測定部は、モニタ用の発光画素１１１Ｍに印加される高電位側の電位、及び、モニタ用の発光画素１１１Ｍに印加される低電位側の電位のうちの少なくとも一方の電位を測定し、電圧調整部は、モニタ用の発光画素１１１Ｍの高電位側の電位とモニタ用の発光画素１１１Ｍの低電位側の電位との電位差を所定の電位差にするように、測定された電位に応じて電源供給部を調整してもよい。
【０２３２】
これにより、消費電力を一層削減することができる。なぜなら、第２電源配線１１３が有する共通電極の一部を構成している有機ＥＬ素子１２１のカソード電極は、シート抵抗の高い透明電極（例えば、ＩＴＯ）を用いているので、第１電源配線１１２の電圧降下量よりも第２電源配線１１３の電圧降下量が大きい。よって、モニタ用の発光画素１１１Ｍに印加される低電位側の電位に応じて調整することにより、電源供給部の出力電位をより適切に調整できるからである。
【０２３３】
また、実施の形態３及び５において、電圧調整部は、電圧測定部で測定されたモニタ用の発光画素１１１Ｍの低電位側の電位と、所定の電位との電位差を検出し、検出した電位差に応じて電源供給部を調整してもよい。
【０２３４】
また、実施の形態２及び４において、信号処理回路１６０は、フレームごとに第１基準電圧Ｖｒｅｆ１を変えずに、複数フレーム（例えば、３フレーム）ごとに第１基準電圧Ｖｒｅｆ１を変えてもよい。
【０２３５】
これにより、第１基準電圧Ｖｒｅｆ１の電位が変動することにより可変電圧源１８０で生じる消費電力を低減できる。
【０２３６】
また、信号処理回路１６０は複数フレームにわたって電位差検出回路１７０Ａ又は電位比較回路３７０Ｂから出力された電位差を測定し、測定した電位差を平均化し、平均化した電位差に応じて可変電圧源１８０を調整してもよい。具体的には、図１２に示すフローチャートにおいて検出点の電位の検出処理（ステップＳ１４）及び電位差の検出処理（ステップＳ１５）を複数フレームにわたって実行し、電圧マージンの決定処理（ステップＳ１６）において、電位差の検出処理（ステップＳ１５）で検出された複数フレームの電位差を平均化し、平均化した電位差に対応して電圧マージンを決定してもよい。
【０２３７】
また、信号処理回路１６０及び２６０は、有機ＥＬ素子１２１の経年劣化マージンを考慮して、第１基準電圧Ｖｒｅｆ１及び第２基準電圧Ｖｒｅｆ２を決定してもよい。例えば、有機ＥＬ素子１２１の経年劣化マージンをＶａｄとすると、信号処理回路１６０は第１基準電圧Ｖｒｅｆ１の電圧をＶＴＦＴ＋ＶＥＬ＋Ｖｄｒｏｐ＋Ｖａｄとしてもよく、信号処理回路２６０は第２基準電圧Ｖｒｅｆ２の電圧をＶＴＦＴ＋ＶＥＬ＋Ｖａｄとしてもよい。
【０２３８】
また、上記実施の形態においては、スイッチトランジスタ１２４及び駆動トランジスタ１２５をＰ型トランジスタとして記載したが、これらをＮ型トランジスタで構成してもよい。
【０２３９】
また、スイッチトランジスタ１２４及び駆動トランジスタ１２５は、ＴＦＴであるとしたが、その他の電界効果トランジスタであってもよい。
【０２４０】
また、上記実施の形態に係る表示装置５０、１００、２００、３００Ａ、３００Ｂ及び４００に含まれる処理部は、典型的には集積回路であるＬＳＩとして実現される。なお、表示装置５０、１００、２００、３００Ａ、３００Ｂ及び４００に含まれる処理部の一部を、有機ＥＬ表示部１１０及び３１０と同一の基板上に集積することも可能である。また、専用回路又は汎用プロセッサで実現してもよい。また、ＬＳＩ製造後にプログラムすることが可能なＦＰＧＡ（Ｆｉｅｌｄ  Ｐｒｏｇｒａｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０２４１】
また、本実施の形態に係る表示装置５０、１００、２００、３００Ａ、３００Ｂ及び４００に含まれるデータ線駆動回路、書込走査駆動回路、制御回路、ピーク信号検出回路、信号処理回路及び電位差検出回路の機能の一部を、ＣＰＵ等のプロセッサがプログラムを実行することにより実現してもよい。また、表示装置５０、１００、２００、３００Ａ、３００Ｂ及び４００が備える各処理部により実現される特徴的なステップを含む表示装置の駆動方法として実現してもよい。
【０２４２】
（実施の形態６）
実施の形態１〜５では、表示装置が消費電力低減効果を得るための構成、すなわち消費電力を低減するために１本ないし複数本の検出線（モニタ用配線）を用いて発光画素の電源電圧をモニタする構成について説明した。実施の形態６では、表示装置が消費電力低減効果を最大限得るための構成として、表示部が設けられたパネル上に、中継部を設けることによって、検出線（モニタ用配線）をパネル外に引き出す引出数（出力線ともいう）の数を削減する構成について説明する。
【０２４３】
上述した実施の形態１〜５に係る表示装置は、換言すると、消費電力を低減するため検出線を用いて発光画素の電源電圧をモニタするよう構成されているが、発光画素の電源電圧の検出精度は、検出点が多ければ多いほど高めることができる。
【０２４４】
図２５は、実施の形態１〜５に係る表示装置の概略構成について説明するためのブロック図である。
【０２４５】
図２５に示す表示装置５００は、有機ＥＬ表示部５１０と、データ線駆動回路１２０と、書込走査駆動回路１３０と、制御回路１４０と、ピーク信号検出回路１５０と、信号処理回路２６０と、最大値検出回路５７０と、可変電圧源５８０とを備える。図１、図１０、図１４、図１７、図１８および図２１と同様の要素には同一の符号を付しており、詳細な説明は省略する。
【０２４６】
有機ＥＬ表示部５１０は、有機ＥＬ表示部１１０とほぼ同じであるが、有機ＥＬ表示部１１０と比較して、検出点が１点ではなく、多数点の例の２４点（Ｍ１１〜Ｍ３８）である点が異なる。また、検出点Ｍ１１〜Ｍ３８からは検出線（モニタ用配線）が最大値検出回路５７０に引き出されている。
【０２４７】
これら検出線は、有機ＥＬ表示部５１０内における少なくとも２つ以上の発光画素のそれぞれに一端が接続され、２つ以上の発光画素それぞれに印加される高電位側の電位または低電位側の電位を最大値検出回路５７０に伝達するための複数の配線である。
【０２４８】
最大値検出回路５７０は、複数の検出線に伝達される２つ以上の発光画素に印加される印加電位のうち、発光画素に印加される高電位側の電位で最小の電位、及び、低電位側の電位で最大の電位の少なくとも一方の電位を検出して選択し、当該選択した電位を可変電圧源５８０に出力する。
【０２４９】
ピーク信号検出回路１５０は、上述したように、表示装置５００に入力された映像データのピーク値を検出し、検出したピーク値を示すピーク信号を信号処理回路２６０へ出力する。
【０２５０】
信号処理回路２６０は、上述したように、ピーク信号検出回路１５０から出力されたピーク信号と、最大値検出回路５７０で検出された最大電位差ΔＶとから、モニタ用の発光画素（検出点Ｍ１１〜検出点Ｍ３８）の電位を所定の電位にするように可変電圧源５８０を調整する。具体的には、信号処理回路２６０は、ピーク信号検出回路１５０から出力されたピーク信号で発光画素１１１を発光させた場合に、有機ＥＬ素子１２１と駆動トランジスタ１２５とに必要な電圧を決定する。
【０２５１】
可変電圧源５８０は、調整部５８１と電源供給部５８２とを備え、高電位側の電位及び低電位側の電位を少なくとも一方の電位を有機ＥＬ表示部５１０に出力する。
【０２５２】
電源供給部５８２は、高電位側及び低電位側の少なくとも一方の電位を例えば第１電源配線１１２を介して有機ＥＬ表示部５１０に出力する。
【０２５３】
調整部５８１は、高電位側の電位と基準電位との電位差、低電位側の電位と基準電位との電位差、または、高電位側の電位と低電位側の電位との電位差のうち、いずれかが所定の電位差となるように、電源供給部５８２から出力される高電位側及び低電位側の出力電位の少なくとも一方を調整する。
【０２５４】
以上のように、表示装置５００は構成され、表示装置５００は、有機ＥＬ表示部５１０内部（パネル内部）の電圧をモニタし、電圧降下量を検出することで、消費電力削減のために、外部電源電圧を映像に応じて変化させる。
【０２５５】
また、表示装置５００に示すように、検出点（モニタ点）を多く備えることにより検出精度を上げることができるので、消費電力削減効果も高くなるという効果を奏する。
【０２５６】
しかしながら、表示装置５００のように、消費電力を低減するため多数の検出線を用いて発光画素の電源電圧をモニタする構成では、検出精度を高めるために検出線の本数を増大させると、検出線をパネル外に引き出す引出線（出力線）の本数も増大してしまい、パネルとパネル外基板との接続部の構造が複雑化するという問題が発生してしまう。また、引き出す引出線（出力線）が多くなることは、実装工程、回路形成工程にかかるコストが増大するという問題もある。
【０２５７】
そこで、表示装置が消費電力低減効果を最大限得るための構成として、表示部が設けられたパネル上に、中継部を設けることによって、検出線（モニタ線）をパネル外に引き出す引出数の数を削減（出力線）する表示装置が好ましい。以下、この好ましい例を本実施の形態に係る表示装置として図を用いて具体的に説明する。
【０２５８】
図２６は、本実施の形態に係る表示装置の概略構成について説明するためのブロック図である。なお、図２５と同様の要素には同一の符号を付しており、詳細な説明は省略する。
【０２５９】
図２６に示す本実施の形態に係る表示装置６００は、図２５に示した表示装置５００と比較して、中継部６９０を備える点で構成が異なる。
【０２６０】
最大値検出回路５７０は、本発明の検出回路に相当し、中継部６９０により出力された複数の検出線に伝達される２つ以上の発光画素に印加される印加電位のうち、発光画素に印加される高電位側の電位で最小の電位、及び、低電位側の電位で最大の電位の少なくとも一方の電位を検出して選択し、当該選択した電位を可変電圧源５８０（具体的には、調整部５８１）に出力する。
【０２６１】
中継部６９０は、本発明の中継部に相当し、複数の検出線の他端に接続され、複数の検出線の数よりも少ない数の出力線の一端に接続され、複数の検出線に伝達される２つ以上の前記高電位側の電位のうち少なくとも１つの印加電位を、または、伝達される２つ以上の前記低電位側の電位のうち少なくとも１つの印加電位を、出力線に出力する。また、中継部６９０は、有機ＥＬ表示部６１０と同一の基板上に設けられている。
【０２６２】
具体的には、中継部６９０は、有機ＥＬ表示部６１０と同一の基板上に設けられ、検出点Ｍ１１〜Ｍ３８の電位が入力される検出線と接続され、最大値検出回路５７０に所定の電位を出力する出力線であって検出線の数よりも少ない数の出力線と接続されている。中継部６９０は、検出線から入力される２つ以上の高電位側の電位のうち少なくとも１つの印加電位、及び、検出線から入力される２つ以上の低電位側の電位のうち少なくとも１つの印加電位を、出力線を介して調整部５８１に出力する。
【０２６３】
調整部５８１は、中継部６９０と出力線を介して接続され、中継部６９０から出力された高電位側の電位と基準電位との電位差、低電位側の電位と基準電位との電位差、または、高電位側の電位と低電位側の電位との電位差のうち、いずれかが所定の電位差となるように、電源供給部５８２から出力される高電位側及び低電位側の出力電位の少なくとも一方を調整する。
【０２６４】
以上のように、表示装置６００は構成される。つまり、本実施の形態の表示装置６００では、有機ＥＬ表示部６１０が設けられたパネル上に、中継部６９０を設けることによって、検出線に伝達する電位をパネル外に引き出す引出線（出力線）の数を削減して最大値検出回路５７０に出力する。この構成により、パネルとパネル外基板との接続部の構造を簡素化することができる。それにより、配線によるコストを低減し、消費電力低減効果を最大化した表示装置を実現できるという効果を奏する。
【０２６５】
図２７は、実施の形態６に係る中継部６９０の具体的な構成の一例を示す回路図である。図２８は、実施の形態６に係る中継部６９０の具体的な構成の一例を示すブロック図である。
【０２６６】
中継部６９０は、例えば図２７に示すように、トランジスタＴ６９０１〜トランジスタＴ６９１４と、ＮＯＴ回路である論理回路６９１５〜論理回路６９１７とを備えるマルチプレクサで構成されている。
【０２６７】
論理回路６９１５は、例えばトランジスタＴ６９０１〜トランジスタＴ６９０４のゲートに印加される電圧が入力され、入力と反転した出力に対応する電圧をトランジスタＴ６９０５〜トランジスタＴ６９０８のゲートに印加する。同様に、論理回路６９１６は、トランジスタＴ６９０９及びトランジスタＴ６９１０のゲートに印加される電圧が入力され、入力と反転した出力に対応する電圧をトランジスタＴ６９１１〜トランジスタＴ６９１２のゲートに印加する。また、論理回路６９１７は、トランジスタＴ６９１３のゲートに印加される電圧が入力され、入力と反転した出力に対応する電圧をトランジスタＴ６９１４のゲートに印加する。
【０２６８】
中継部６９０は、上記のように構成されるマルチプレクサを利用して、例えば検出点Ｍ１１〜検出点Ｍ１８の８つの検出点で検出され、対応する８本の検出線に伝達された電位をパネル外に引き出すための１本の出力線に時分割に中継する。つまり、中継部６９０は、３ビットの選択信号で、検出線８本を伝達する信号を、時分割して出力線１本で伝達することができる。
【０２６９】
換言すると、中継部６９０は、図２８に示すように、８入力１出力時分割多重回路６９１８〜８入力１出力時分割多重回路６９２０を備えることにより、中継部６９０は、３ビットの選択信号で、検出点Ｍ１１〜検出点Ｍ３８に対応する３２本の検出線に伝達する信号を、時分割して３本の出力線で伝達することができる。ここで、８入力１出力時分割多重回路６９１８〜８入力１出力時分割多重回路６９２０はそれぞれ、図２７に示す回路で構成されているとしている。
【０２７０】
なお、中継部６９０は、同様に、４ビットの選択信号を用いた時分割多重回路を備えるとすると、６４本の検出線に伝達する信号を、時分割して４本の出力線で伝達することができる。
【０２７１】
以上のように、中継部６９０は、検出線に伝達される前記２つ以上の発光画素に印加される印加電位を、時分割して前記出力線に順次出力する。そして、調整部５８１は、中継部６９０から出力された２つ以上の発光画素に印加される印加電位のうち、高電位側の電位での最小の電位と基準電位との電位差、及び、低電位側の電位で最大の電位と基準電位との電位差の少なくとも一方が所定の電位差となるように、電源供給部５８２から出力される高電位側及び低電位側の出力電位の少なくとも一方を調整する。
【０２７２】
図２９Ａ及び図２９Ｂは、最大値検出回路５７０の具体的な構成の一例を示す回路図である。図２９Ａ及び図２９Ｂに示す回路構成は、既知であり、説明を要しないため、ここでの説明を省略する。
【０２７３】
なお、最大値検出回路を構成する回路は、図２９Ａ及び図２９Ｂに示す回路に限らない。例えば、最大値検出回路が最大値検出と最小値検出回路とで構成されているとしてもよい。以下、その例について説明する。
【０２７４】
図３０は、実施の形態６に係る最大値検出回路７７０が最大値検出回路７７０１と最小値検出回路７７０２とで構成されている場合の表示装置の要部を示す図である。
【０２７５】
図３０に示すように有機ＥＬ表示部７１０は、中継部６９０Ａ及び中継部６９０Ｂを備え、中継部６９０Ａの出力線が最大値検出回路７７０を構成する最小値検出回路７７０１に接続され、中継部６９０Ｂの出力線が最大値検出回路７７０を構成する最大値検出回路７７０２に接続されている。
【０２７６】
調整部７８１は、最大値検出回路７７０２で検出された高電位側の電位と基準電位との電位差、最小値検出回路７７０１で検出された低電位側の電位と基準電位との電位差、または、最大値検出回路７７０２で検出された高電位側の電位と最小値検出回路７７０１で検出された低電位側の電位との電位差のうち、いずれかが所定の電位差となるように、電源供給部５８２から出力される高電位側及び低電位側の出力電位の少なくとも一方を調整する。調整部７８１は、調整した出力電位を、第１電源配線１１２及び第２電源配線１１３を介して、有機ＥＬ表示部７１０に供給する。
【０２７７】
なお、中継部６９０は、中継部６９０Ａと中継部６９０Ｂとで構成されているとしたが、それに限らない。中継部６９０は一つで構成されていてもよい。その場合には、中継部６９０の出力線が２つに分岐され、最小値検出回路７７０１と最大値検出回路７７０２とに入力されるとすればよい。
【０２７８】
ここで、図３１Ａ及び図３１Ｂ並びに図３２Ａ及び図３２Ｂは、実施の形態６に係る最大値検出回路５７０の具体的な構成の一例を示す回路図である。なお、図２７Ａ及び図２８Ａに示す最大値検出回路７７０を構成する回路例は、既知であり、説明を要しないため、ここでの説明を省略する。同様に、図３１Ｂ及び図３２Ｂに示す最小値検出回路７７０１を構成する回路例は、既知であり、説明を要しないため、ここでの説明を省略する。
【０２７９】
以上、本実施の形態によれば、有機ＥＬ表示部が設けられたパネル上に、中継部を設けることによって、検出線をパネル外に引き出す引出数の数を削減する。この構成により、本実施の形態に係る表示装置は、パネルとパネル外基板との接続部の構造を簡素化することができる。それにより、配線によるコストを低減し、消費電力削減効果を最大化した表示装置を実現できるという効果を奏する。
【０２８０】
なお、上述の説明では、有機ＥＬ表示部の外部（パネル外）に最大値検出回路を設けるとして説明したが、それに限らない。中継部内部に最大値検出回路を設ける構成としてもよい。
【０２８１】
図３３は、実施の形態６に係る中継部内部に最大値検出回路が設けられた場合の本実施の形態に係る表示装置の概略構成を示す図である。具体的には、中継部８９０は、出力線と接続される検出回路を内部に備え、検出回路は、複数の検出線に伝達される２つ以上の発光画素に印加される印加電位のうち、高電位側の電位で最小の電位、及び、低電位側の電位で最大の電位の少なくとも一方の電位を検出して選択し、当該選択した電位を出力線に出力する。
【０２８２】
このように、検出線（モニタ線）を伝達する印加電圧の最大値または最小値を求める回路を有機ＥＬ表示部の内部に設けることで、さらに配線を減らすことができる。それにより、配線によるコストを低減し、消費電力削減効果を最大化した表示装置を実現できるという効果を奏する。
【０２８３】
以上、本発明の表示装置および駆動方法について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【０２８４】
なお、上記説明では、表示装置５０、１００、２００、３００Ａ、３００Ｂ、４００、５００及び６００がアクティブマトリクス型の有機ＥＬ表示装置である場合を例に述べたが、それに限らない。本発明に係る表示装置を、アクティブマトリクス型以外の有機ＥＬ表示装置に適用してもよいし、電流駆動型の発光素子を用いた有機ＥＬ表示装置以外の表示装置、例えば液晶表示装置に適用してもよい。
【０２８５】
また、例えば、本発明に係る表示装置は、図３４に記載されたような薄型フラットＴＶに内蔵される。本発明に係る画像表示装置が内蔵されることにより、映像信号を反映した高精度な画像表示が可能な薄型フラットＴＶが実現される。
【産業上の利用可能性】
【０２８６】
本発明は、とりわけアクティブ型の有機ＥＬフラットパネルディスプレイに有用である。
【符号の説明】
【０２８７】
５０、１００、２００、３００Ａ、３００Ｂ、４００、５００、６００    表示装置
１１０、３１０、５１０、６１０、７１０    有機ＥＬ表示部
１１１    発光画素
１１１Ｍ    モニタ用の発光画素
１１２    第１電源配線
１１３    第２電源配線
１２０    データ線駆動回路
１２１    有機ＥＬ素子
１２２    データ線
１２３    走査線
１２４    スイッチトランジスタ
１２５    駆動トランジスタ
１２６    保持容量
１３０    書込走査駆動回路
１４０    制御回路
１５０    ピーク信号検出回路
１６０、１６５、２６０    信号処理回路
１７０、３７１、３７２、    最大値検出回路
１７０Ａ    電位差検出回路
１７５    電圧マージン設定部
１８０、２８０、５８０    可変電圧源
１８１、２８１    比較回路
１８２    ＰＷＭ回路
１８３    ドライブ回路
１８４    出力端子
１８５    出力検出部
１８６    誤差増幅器
１９０、２９０、３９１、３９２、３９３、３９４、３９５    モニタ用配線
３７０Ａ、３７０Ｂ    電位比較回路
５８１、７８１  調整部
５８２    電源供給部
６９０    中継部
６９１５、６９１６、６９１７    論理回路
６９１８、６９１９、６９２０    ８入力１出力時分割多重回路
Ｍ１、Ｍ２、Ｍ３、Ｍ４、Ｍ５、Ｍ１１、Ｍ１８、Ｍ２１、Ｍ２８、Ｍ３１、Ｍ３８    検出点
Ｔ６９０１、Ｔ６９０２、Ｔ６９０３、Ｔ６９０４、Ｔ６９０５、Ｔ６９０６、Ｔ６９０７、Ｔ６９０８、Ｔ６９０９、Ｔ６９１０、Ｔ６９１１、Ｔ６９１２、Ｔ６９１３、Ｔ６９１４    トランジスタ
【図１】
2012176241.tif 000003
【図２】
2012176241.tif 000004
【図３】
2012176241.tif 000005
【図４】
2012176241.tif 000006
【図５】
2012176241.tif 000007
【図６】
2012176241.tif 000008
【図７】
2012176241.tif 000009
【図８】
2012176241.tif 000010
【図９】
2012176241.tif 000011
【図１０】
2012176241.tif 000012
【図１１】
2012176241.tif 000013
【図１２】
2012176241.tif 000014
【図１３】
2012176241.tif 000015
【図１４】
2012176241.tif 000016
【図１５】
2012176241.tif 000017
【図１６】
2012176241.tif 000018
【図１７】
2012176241.tif 000019
【図１８】
2012176241.tif 000020
【図１９Ａ】
2012176241.tif 000021
【図１９Ｂ】
2012176241.tif 000022
【図２０Ａ】
2012176241.tif 000023
【図２０Ｂ】
2012176241.tif 000024
【図２１】
2012176241.tif 000025
【図２２】
2012176241.tif 000026
【図２３】
2012176241.tif 000027
【図２４】
2012176241.tif 000028
【図２５】
2012176241.tif 000029
【図２６】
2012176241.tif 000030
【図２７】
2012176241.tif 000031
【図２８】
2012176241.tif 000032
【図２９Ａ】
2012176241.tif 000033
【図２９Ｂ】
2012176241.tif 000034
【図３０】
2012176241.tif 000035
【図３１Ａ】
2012176241.tif 000036
【図３１Ｂ】
2012176241.tif 000037
【図３２Ａ】
2012176241.tif 000038
【図３２Ｂ】
2012176241.tif 000039
【図３３】
2012176241.tif 000040
【図３４】
2012176241.tif 000041
【国際調査報告】
2012176241.tif 000042
2012176241.tif 000043
2012176241.tif 000044
2012176241.tif 000045